(57)【特許請求の範囲】
【請求項１】
黄色ブドウ球菌の細菌集団を含むサンプルを質量分析法で検査する方法であって、
ａ）前記サンプル中に存在する分子をレーザービームの作用によりイオン化することが可能な媒体に前記サンプルを接触させて置く工程、
ｂ）前記サンプル中に存在する分子をレーザービームを用いてイオン化する工程、
ｃ）得られたイオン化された分子を電位差によって加速する工程、
ｄ）そのイオン化され、加速された分子を、減圧下の少なくとも１本の管内で自由に移動させる工程、
ｅ）そのイオン化され、加速され、自由に移動させた分子の少なくとも一部を検出して、それらが減圧下の少なくとも１本の管を通過するのにかかった時間を測定するとともに、任意の瞬間に検出されたイオン化された分子の数に相当するシグナルを得る工程、
ｆ）その検出された分子の質量電荷比［ｍ／ｚ］を算出して、その検出された分子のｍ／ｚ比の関数として、同じ質量電荷比［ｍ／ｚ］のイオン化された分子の数に相当するシグナルを得る工程、
ｇ）工程ｂ）で得られたイオン化された分子のなかに、質量／電荷比［ｍ／ｚ］が３００５±５Ｔｈ又は３０３５±５Ｔｈのイオン化された分子が存在するかどうかを直接又は間接的に決定する工程、
ｈ）工程ｇ）で得られた結果に沿った決定を下す工程
を含み、
工程ｈ）は、ｍ／ｚが３００５±５Ｔｈのイオン化された分子とｍ／ｚが３０３５±５Ｔｈのイオン化された分子の両方が存在しないことと、分析中の黄色ブドウ球菌の細菌集団にδ溶血素及びその変異体Ｇ１０Ｓが存在しないこととの相関性を用いる工程であるか、
工程ｈ）は、ｍ／ｚが３００５±５Ｔｈのイオン化された分子とｍ／ｚが３０３５±５Ｔｈのイオン化された分子の両方が存在しないことと、分析中の黄色ブドウ球菌の細菌集団のａｇｒ（「Ａｃｃｅｓｓｏｒｙ  Ｇｅｎｅ  Ｒｅｇｕｌａｔｏｒ」）システムが機能不全であることとの相関性を用いる工程であるか、
工程ｈ）は、ｍ／ｚが３００５±５Ｔｈのイオン化された分子とｍ／ｚが３０３５±５Ｔｈのイオン化された分子の両方が存在しないことと、分析中の黄色ブドウ球菌の細菌集団をグリコペプチドに対する感受性が低い恐れがあるもの（すなわちＧＩＳＡ）として分類することとの相関性を用いる工程であるか、
分析する黄色ブドウ球菌の細菌集団は、患者から採取した生体サンプル由来であり、かつ、工程ｈ）は、ｍ／ｚが３００５±５Ｔｈのイオン化された分子とｍ／ｚが３０３５±５Ｔｈのイオン化された分子の両方が存在しないことと、ａｇｒシステムの機能不全に関連することが知られている臨床診断を前記患者に対して下すこととの相関性を用いる工程であるか、
又は、
分析する黄色ブドウ球菌の細菌集団は、患者から採取した生体サンプル由来であり、かつ、工程ｈ）は、ｍ／ｚが３００５±５Ｔｈのイオン化された分子とｍ／ｚが３０３５±５Ｔｈのイオン化された分子の両方が存在しないことと、前記患者が慢性感染症を有するとの診断との相関性を用いる工程である、方法。
【請求項２】
細菌数が１０〜１０９の集団を含むサンプルに質量分析法を行うことを特徴とする請求項１に記載の方法。
【請求項３】
細菌数が１０５〜１０６の集団を含むサンプルに質量分析法を行うことを特徴とする請求項１又は２に記載の方法。
【請求項４】
用いる質量分析法は、マトリックス支援脱離イオン化−飛行時間型（ＭＡＬＤＩ−ＴＯＦ）質量分析（ＭＳ）であることを特徴とする請求項１〜３のいずれか１項に記載の方法。
【請求項５】
工程ｇ）の決定は、得られた質量スペクトルにｍ／ｚ値が３００５±５Ｔｈ若しくは３０３５±５Ｔｈのピークが存在すること、又は、３００５±５Ｔｈ及び３０３５±５Ｔｈの両方のピークが存在しないことから直接推断されることを特徴とする請求項４に記載の方法。
【請求項６】
用いる質量分析法は、ＭＡＬＤＩ−ＴＯＦ／ＴＯＦ質量分析であることを特徴とする請求項１〜３のいずれか１項に記載の方法。
【請求項７】
工程ｄ）において、前記イオン化された分子を減圧下の第一管内で移動させ、質量ｍ／ｚが３００５±５Ｔｈのイオン、及び／又は、質量ｍ／ｚが３０３５±５Ｔｈのイオンを選択し、そのイオン化された分子を断片化した後に再び加速して、前記イオン化された分子の断片化されたもの又はされていないものを第二管内で自由に移動させることを特徴とする請求項６に記載の方法。
【請求項８】
工程ｇ）の決定は、以下のｙ及びｂイオンフラグメント：
３００５±５Ｔｈのピークの場合には、質量１４７．１１３、２７５．２０８、３７６．２５５、５２３．３２４、６５１．４１９、７６５．４６２、８６４．５３０、９６５．５７８、１０８０．６０５、１１９３．６８９、１３０６．７７３、１４９２．８５２、１６２０．９４７、１７２０．０１６、１８３３．１００、１９４８．１２７、２００５．１４８、２１１８．２３２、２２１９．２８０、２３０６．３１２、２４１９．３９６、２５３２．４８０、２６４７．５０７、２７７５．５６５、２８４６．６０３及び２９７６．６３５±１．５Ｔｈ（公差）のｙイオンフラグメント；並びに、質量１３１．０４０、２０２．０７７、３３０．１３６、４４５．１６３、５５８．２４７、６７１．３３１、７５８．３６３、８５９．４１０、９７２．４９４、１０２９．５１６、１１４４．５４３、１２５７．６２７、１３５６．６９５、１４８４．７９０、１６７０．８７０、１７８３．９５４、１８９７．０３８、２０１２．０６５、２１１３．１１２、２２１２．１８１、２３２６．２２４、２４５４．３１９、２６０１．３８７、２７０２．４３５、２８３０．５３０及び２９５８．６２５±１．５Ｔｈ（公差）のｂイオンフラグメント、並びに／又は、
３０３５±５Ｔｈのピークの場合には、質量１４７．１１３、２７５．２０８、３７６．２５５、５２３．３２４、６５１．４１９、７６５．４６２、８６４．５３０、９６５．５７８、１０８０．６０５、１１９３．６８９、１３０６．７７３、１４９２．８５２、１６２０．９４７、１７２０．０１６、１８３３．１００、１９４８．１２７、２０３５．１５９、２１４８．２４３、２２４９．２９０、２３３６．３２２、２４４９．４０６、２５６２．４９１、２６７７．５１７、２８０５．５７６、２８７６．６１３及び３００６．６４６±１．５Ｔｈ（公差）のｙイオンフラグメント；並びに、質量１３１．０４０、２０２．０７７、３３０．１３６、４４５．１６３、５５８．２４７、６７１．３３１、７５８．３６３、８５９．４１０、９７２．４９４、１０５９．５２６、１１７４．５５３、１２８７．６３８、１３８６．７０６、１５１４．８０１、１７００．８８０、１８１３．９６４、１９２７．０４８、２０４２．０７５、２１４３．１２３、２２４２．１９１、２３５６．２３４、２４８４．３２９、２６３１．３９８、２７３２．４４５、２８６０．５４０及び２９８８．６３５±１．５Ｔｈ（公差）のｂイオンフラグメント
のうちの少なくとも５個のフラグメントの存在から間接的に推断されることを特徴とする請求項６又は７に記載の方法。
【請求項９】
前記サンプルを接触させる媒体は、ターゲット上に配置した、ＭＡＬＤＩ  ＭＳに適したマトリックスであり、前記方法は、工程ｂ）の前に、前記サンプルの分子が表面又は内部に吸着した前記マトリックスの結晶化を行うことを特徴とする請求項１〜８のいずれか１項に記載の方法。
【請求項１０】
前記マトリックスは、３，５−ジメトキシ−４−ヒドロキシケイ皮酸、α−シアノ−４−ヒドロキシケイ皮酸、フェルラ酸及び２，５−ジヒドロキシ安息香酸から選択される化合物を含むことを特徴とする請求項９に記載の方法。
【発明の詳細な説明】
【技術分野】
【０００１】
本発明は、黄色ブドウ球菌を分析する技術分野に関する。
【背景技術】
【０００２】
人口の２０〜３０％が保有している黄色ブドウ球菌（Ｓｔａｐｈｙｌｏｃｏｃｃｕｓ  ａｕｒｅｕｓ）は、保菌（ｃｏｌｏｎｉｚａｔｉｏｎ）及び感染の原因となる細菌の一種である（非特許文献１）。感染症は以下のように大きく２つに分類される：接着因子「接着性マトリックス分子を認識する微生物表面成分（Ｍｉｃｒｏｂｉａｌ  Ｓｕｒｆａｃｅ  Ｃｏｍｐｏｎｅｎｔ  Ｒｅｃｏｇｎｉｚｉｎｇ  Ａｄｈｅｓｉｖｅ  Ｍａｔｒｉｘ  Ｍｏｌｅｃｕｌｅｓ）」すなわちＭＳＣＲＡＭＭ（フィブリノーゲン結合タンパク質［ＦｎＢＰ］、タンパク質Ａ、コアグラーゼ等）が関与する化膿性感染症；並びに、最も有名なものとして溶血素、Ｐａｎｔｏｎ−Ｖａｌｅｎｔｉｎｅロイコシジン［ＰＶＬ］、スタフィロコッカスエンテロトキシン及び表皮剥脱毒素が挙げられる外毒素の分泌が不可欠となる毒素性感染症（非特許文献２）。黄色ブドウ球菌株はいずれも、すべてのビルレンス因子を有しているわけではなく、これらの因子が細菌増殖の際に同時に発現するわけではない。対数増殖期には、宿主への定着及び侵入に必要な接着因子が発現される。一方、対数増殖期末期及び定常期には、その増殖に不可欠な栄養素源となる宿主の細胞を破壊するために必要な毒素が大多数の細菌で発現される。黄色ブドウ球菌は、これらの過程を制御する多くの調節因子を有している（非特許文献３）。その中でも、「Ａｃｃｅｓｓｏｒｙ  Ｇｅｎｅ  Ｒｅｇｕｌａｔｏｒ［ａｇｒ］」システムは、最も重要なシステムの一つである。
【０００３】
黄色ブドウ球菌のａｇｒシステムは、該菌の多くのビルレンス遺伝子と代謝を調節する。これは、２つの互いに異なる転写物：ＲＮＡＩＩ及びＲＮＡＩＩＩへと転写される５つの遺伝子（ａｇｒＢＤＣＡ及びｈｌｄ）の遺伝子座に存在する。ＲＮＡＩＩは、ａｇｒＢＤＣＡ遺伝子を含むオペロンＰ２のメッセンジャーであり、ＲＮＡＩＩＩは、デルタ（δ）溶血素の遺伝子であるｈｌｄを含む。ａｇｒＣはヒスチジンキナーゼをコードしており、ａｇｒＡは２成分系の受容体である。ａｇｒＤは、ａｇｒＢによって成熟し、分泌されるペプチドをコードしている。得られるペプチドは、自己誘導ペプチドであり、ａｇｒＡを刺激するａｇｒＣを活性化する。ａｇｒＡ受容体は、活性化されると、プロモータＰ２及びＰ３それぞれによるＲＮＡＩＩ及びＲＮＡＩＩＩの転写を誘導する。ＲＮＡＩＩＩは、δ溶血素をコードする遺伝子ｈｌｄを含んではいるが、何よりもまず調節ＲＮＡであり、ａｇｒシステムの真のエフェクターである。このように、ＲＮＡＩＩＩは多くの遺伝子を転写及び翻訳レベルの両方で調節している（非特許文献４、非特許文献５）。ａｇｒシステムの機能不全を誘導する変異によって、自己溶菌酵素や溶血素の発現に変化が生じ、細菌の表現型、特に病原性に関連した表現型に影響が及ぼされる（非特許文献６）。
【０００４】
黄色ブドウ球菌のδ溶血素は、δ毒素又はδリシンとも称され、ａｇｒシステムを構成するｈｌｄ遺伝子によりコードされており、ａｇｒシステムのエフェクターであるＲＮＡＩＩＩ中に位置している。ＲＮＡＩＩＩのδ溶血素への翻訳は、（約１時間）遅れて対数増殖期末期に起こる（非特許文献７；非特許文献８）。このように、δ溶血素は、ＲＮＡＩＩＩの転写を反映するものであり、結果としてａｇｒシステムの機能性も反映する（非特許文献５）。δ溶血素は、黄色ブドウ球菌の溶血性毒素ファミリーに属し、細胞膜に孔を形成する。特に、細胞膜のリン脂質を破壊することにより、ヒト、ウサギ、ヒツジ、ウマ、ネコ、ニワトリの赤血球等を溶解する（非特許文献９）。また、バイオフィルムの形成阻害、及び、ヒト好中球の酸化ストレスの惹起にも関与している（非特許文献８）。図１に示すように２６個のアミノ酸からなり、その質量は２．９ｋＤａである（非特許文献１０）。ｉ）天然型であり、大多数を占める形態である、メチオニン残基においてＮ末端がホルミル化されたもの（本明細書中、δ溶血素と呼ぶ）；及び、ｉｉ）脱ホルミル化されたものの２つの形態で存在している（非特許文献４）。脱ホルミル化は、鉄依存性デホルミラーゼペプチドという酵素によって確保される。対数増殖期及びポスト対数増殖期初期において、δ溶血素は脱ホルミル化されて、弱い化学誘引物質が形成される（非特許文献８）。細菌の増殖中、徐々に鉄濃度が低下し、デホルミラーゼの活性が低下する。そして、多核好中球に対する化学誘引性を備えるδ溶血素が蓄積され、炎症反応が誘導され、その後の細菌増殖のための栄養素源が得られる（非特許文献８）。最後に、以下のような遺伝子多型が記載されている。ある変異体がイヌ由来の株から発見されているが、この変異体はアミノ酸変異を含み、トリプシンによる消化が低下している他、ヒツジ赤血球に対する溶血性の低下及び２５℃未満の温度での溶血活性の低下も見られる（非特許文献１１）。ヒト由来株では、１０位のグリシンがセリンに置換された多型（Ｇ１０Ｓ）が、Ｇｅｎｅｂａｎｋ（商標）に記載されているが（非特許文献１２）、この変異の存在頻度については知られていない。
【０００５】
いくつかの研究によれば、黄色ブドウ球菌のａｇｒシステムの欠損株の頻度は、１５％〜２２％であると推定されている（非特許文献１３；非特許文献６；非特許文献１４）。これらの株は、市中型ＭＲＳＡと比較して、メチシリン耐性の院内型黄色ブドウ球菌［ＭＲＳＡ］においてより多くみられる（非特許文献１４）。しかしながら、ａｇｒ欠損株は、すべてのａｇｒ遺伝子プールＩ、ＩＩ、ＩＩＩ及びＩＶで発見されているため、クローンという推測は支持されない（非特許文献１５）。
【０００６】
これらの株は、連続して移植を行った際に起こる変異の結果ではなく、最小限の操作を加えた生体サンプルから分離されているので、真の臨床的意義がある（非特許文献１３）。ａｇｒシステムの機能不全とδ溶血素の欠如との間には、各種の臨床的関連性が認められている。
【０００７】
例えば、２０１１年には、８１４件の黄色ブドウ球菌菌血症を扱った２００３年から２００７年の間の後ろ向き研究において、２２％の株のａｇｒシステムに機能不全がみられた。上記症例の１８％ではこれらの株に感染した患者が３０日以内に死亡したのに対し、ａｇｒシステムが機能している株では１２％であった（ｐ＝０．０３）。したがって、ａｇｒ欠損黄色ブドウ球菌の感染では、感度３０％、特異度７９％、陽性適中率１８％、陰性適中率８８％で死亡率の予測が可能であった（非特許文献６）。
【０００８】
また、ＭＲＳＡによる持続性菌血症（ＢＰ）（すなわち、好適な抗生剤治療下で７日間以上、ＭＲＳＡを含む陽性血液培養が持続）を扱った後ろ向き臨床研究によれば、ゲロースにおいてδ溶血素を調べることによって、ａｇｒシステムが機能不全であるＭＲＳＡ株を明らかにしたところ、該ＭＲＳＡ株は、消散性菌血症（Ｒｅｓｏｌｖｅｎｔ  Ｂａｃｔｅｒｅｍｉａ（ＲＢ））と比較して持続性菌血症（ＢＰ）においてより高頻度で見られることが示された［ＢＰ群株７１．４％に対してＲＢ群株３８．９％；ｐ＝０．０５７）。したがって、ａｇｒシステムの機能不全の証拠となるδ溶血素の産生の欠如は、処置を増やすこと（すなわち、最適な抗生剤治療）を必要とする持続性菌血症のマーカーとなり得る（非特許文献１６）。
【０００９】
細菌の自己分解との関連も認められている。ａｇｒシステムは、多くの遺伝子、特にｌｙｔＳ及びｌｙｔＲの発現を制御している。したがって、ａｇｒシステムの機能不全は、液体培地での凝集体の形成；粗面化し、四方に広がるといった細胞表面の改質；及び、自己分解しやすい傾向と関係がある（非特許文献１７）。
【００１０】
それらに関しては、Ｖｕｏｎｇらが、ポリスチレンへの接着モデルにおいて、ａｇｒ欠損株は７８％がバイオフィルムを形成したのに対し、ａｇｒ発現株ではわずか６％のみであったことを示した。この現象はａｇｒ阻害剤を添加することによっても確認されており、δ溶血素の界面活性能によるものと思われる（非特許文献１８）。しかしながら、ａｇｒシステムの機能不全がバイオフィルムの形成に必要であるのと同様に、バイオフィルムの分散はａｇｒシステムに依存していると思われ、慢性感染症の場合にはａｇｒシステムの欠損株と機能株がおそらく共存していることが強調されている（非特許文献１９）。これらの蓄積された結果から、慢性感染症の場合に又は血管内装置においてａｇｒ欠損株を調べることが望まれる。
【００１１】
嚢胞性線維症との関連も認められている。２０００年にＧｏｅｒｋｅらは、嚢胞性線維症患者の呼吸器官サンプルから分離した黄色ブドウ球菌株のＲＮＡＩＩＩの発現について研究を行ったが、ａｇｒ欠損株が優勢であることが示された。したがって、ａｇｒシステムの機能性は、嚢胞性線維症の場合の保菌及び感染には必要でないと思われる（非特許文献２０）。
【００１２】
最後に、グリコペプチド耐性表現型（すなわち、ＧＩＳＡ「グリコペプチド中間耐性黄色ブドウ球菌」）との関連も報告されている。ａｇｒシステムが機能しているＭＲＳＡ株に感染した患者にバンコマイシンを長期投与（すなわち９カ月超）すると、δ溶血素の発現が完全になくなることはないものの低下する。処置をやめると、δ溶血素の発現に大きな上昇が測定される（非特許文献２１）。また、ａｇｒシステムの機能不全株では、バンコマイシンのファーマコダイナミクスは変化しないものの、バンコマイシンに対する感受性の低下が見られる（非特許文献１４）。２００２年にはＳａｋｏｕｌａｓらが、彼らの研究所のＧＩＳＡコレクションに含まれるすべての株がａｇｒシステムの機能不全を起こしていることを示した（非特許文献２２）。２００５年には、ヘテロＧＩＳＡ表現型の出現とａｇｒシステム欠損株のバンコマイシンへの長期曝露との関連性が確認された。このバンコマイシンに対する感受性の低下もまた、細菌の溶菌の減少と血小板由来抗菌ペプチドに対する感受性の低下に関係している（非特許文献２０）。この関連は、Ｒｏｓｅらの研究によっても確認されており、Ｒｏｓｅらは、ａｇｒ欠損株ではバンコマイシンに対して最小発育阻止濃度（ＭＩＣ）を上昇させる能力が高まり、したがってＧＩＳＡになることを示している。これに対して、他の抗生物質クラスに属する抗黄色ブドウ球菌抗生物質のダプトマイシンを使用した場合には、この現象は見られない（非特許文献１５）。したがって、δ溶血素の産生の欠如を示すことは、特にバンコマイシンによる処置の際に、ＧＩＳＡ表現型又はヘテロＧＩＳＡ表現型への時間依存性変化を検出するための初期マーカーとなり得る（非特許文献１６）。
【００１３】
また、δ溶血素の検出という臨床的関心から、黄色ブドウ球菌のδ溶血素を測定するための各種方法が開示されている。溶血試験、動物モデルに対するバイオテスト、「逆転写−ポリメラーゼ連鎖反応［ＲＴ−ＰＣＲ］」、「ノーザンブロット」、シークエンシング及び高速クロマトグラフィー［ＨＰＬＣ］が挙げられる。
【００１４】
溶血試験では、抗α溶血素抗体及び抗β溶血素抗体の存在下で、ゲロースで培養された黄色ブドウ球菌株によって血液に対して誘導された溶血を測定することにより、δ溶血素を検出することができる。また、δ溶血素は、δ溶血素とβ溶血素の溶血相乗効果を調べることでも検出できる（非特許文献４）。以下の各種方法が記載されている。Ｓａｋｏｕｌａｓらは、β溶血素によって大きな溶血領域を形成する黄色ブドウ球菌株ＲＮ４４２０を用いることでδ溶血素を検出している。また、派生法がＳｃｈｗｅｉｔｚｅｒらにより開示されている。これらの方法は簡単に行えるものの、「専用」の試験を行う必要があり、主観的な読み出し、すなわち、観察しにくい場合もある溶血相乗効果の検出を含む。最後に、これらの試験は、「ノーザンブロット」及びａｇｒ遺伝子のシークエンシングと比較して偽陰性の影響を受け得る（非特許文献１３）。
【００１５】
歴史的に、動物モデルに対するバイオテストも用いられている。この場合、マウス又はモルモットの最小致死量［ＭＬＤ］の測定値からδ溶血素の活性を検出することができる。しかしながら、これは必要とする用量が大きい（マウスＭＬＤ＝１１０ｍｇ／ｋｇ、モルモットＭＬＤ＝３０ｍｇ／ｋｇ）。他の方法は、ウサギにおいてδ溶血素の皮膚壊死誘導能を調べることである。約１ｍｇのδ溶血素によって、２４時間後には広範囲の紅斑（直径＞２８ｍｍ）及び硬化が誘導され、Ｄ＋３には壊死領域が誘導される。少ない用量でも落屑が見られる場合もある（非特許文献９）。
【００１６】
また、δ溶血素の発現は、ＲＮＡＩＩＩを標的としたＲＴ−ＰＣＲによっても評価できる。株から全ＲＮＡを抽出し、コンペティティブＲＴ−ＰＣＲを行う。結果を標準化するために、Ｇｏｅｒｋｅらは、増殖期であるかどうかに関係なく一定に発現するギラーゼ（ｇｙｒ）をコードするハウスキーピング遺伝子を用いている。ＲＮＡＩＩＩ  ＲＴ−ＰＣＲは、感度が高く特異的な定量法である。しかしながら、その使用は、不純物が混入する恐れが大きいことから、専門の研究所に限られている（非特許文献２３）。
【００１７】
δ溶血素の発現は、ＲＮＡＩＩＩを標的とした「ノーザンブロット」によって間接的に検出することもできる（非特許文献２４；非特許文献２３；非特許文献２５）。
【００１８】
機能不全を表し得る点様突然変異を同定するために、ａｇｒ遺伝子座の完全なシークエンシングを行っているものもある（非特許文献２５）。
【００１９】
いくつかのＨＰＬＣ法も用いられている。２０００年にＯｔｔｏ及びＧｏｔｚが、高速液体クロマトグラフィー（ＨＰＬＣ）による定性的且つ定量的なδ溶血素の測定方法を開示している。トリプチケースソイブロスでの細菌培養物の上清を１９，０００×ｇで５分間遠心分離する。その後、１ｍＬのＰＨＥ（「フェニル誘導体化」）カラムを使用してＨＰＬＣにより上清を分析して、溶媒Ｂの１０〜９０％グラジエント（溶媒Ａは０．１％トリフルオロ酢酸［ＴＦＡ］／水混合物であり、溶媒Ｂは０．１％ＴＦＡ／アセトニトリル混合物である）で溶出する。２１４又は２８０ｎｍダイオードバーを備えたＵＶ分光計によって検出を行う（非特許文献２６）。それらに関して、２００２年にはＳｏｍｅｒｖｉｌｌｅらが、Ｏｔｔｏ及びＧｏｔｚのＨＰＬＣによるδ溶血素の検出・測定方法に似た方法を開示しているが、そこでは電気スプレー源を用いた質量分析による検出と組み合わせている。それにより得られたδ溶血素の天然型及び脱ホルミル化型のｍ／ｚは、３００７Ｔｈｏｍｓｏｎ［Ｔｈ］及び２９７２Ｔｈであった（非特許文献８）。
【先行技術文献】
【非特許文献】
【００２０】
【非特許文献１】Ｗｅｒｔｈｅｉｍ，Ｈ．Ｆ．，Ｄ．Ｃ．Ｍｅｌｌｅｓ，ｅｔ  ａｌ．（２００５）．“Ｔｈｅ  ｒｏｌｅ  ｏｆ  ｎａｓａｌ  ｃａｒｒｉａｇｅ  ｉｎ  Ｓｔａｐｈｙｌｏｃｏｃｃｕｓ  ａｕｒｅｕｓ  ｉｎｆｅｃｔｉｏｎｓ．”Ｌａｎｃｅｔ  Ｉｎｆｅｃｔ  Ｄｉｓ  ５（１２）：７５１−７６２
【非特許文献２】Ｏｔｔｏ，Ｍ．（２０１０）．“Ｂａｓｉｓ  ｏｆ  ｖｉｒｕｌｅｎｃｅ  ｉｎ  ｃｏｍｍｕｎｉｔｙ−ａｓｓｏｃｉａｔｅｄ  ｍｅｔｈｉｃｉｌｌｉｎ−ｒｅｓｉｓｔａｎｔ  Ｓｔａｐｈｙｌｏｃｏｃｃｕｓ  ａｕｒｅｕｓ．”Ａｎｎｕ  Ｒｅｖ  Ｍｉｃｒｏｂｉｏｌ  ６４：１４３−１６２
【非特許文献３】Ｄｕｆｏｕｒ，Ｐ．，Ｓ．Ｊａｒｒａｕｄ，ｅｔ  ａｌ．（２００２）．“Ｈｉｇｈ  ｇｅｎｅｔｉｃ  ｖａｒｉａｂｉｌｉｔｙ  ｏｆ  ｔｈｅ  ａｇｒ  ｌｏｃｕｓ  ｉｎ  Ｓｔａｐｈｙｌｏｃｏｃｃｕｓ  ｓｐｅｃｉｅｓ．”Ｊ  Ｂａｃｔｅｒｉｏｌ  １８４（４）：１１８０−１１８６
【非特許文献４】Ｖｅｒｄｏｎ，Ｊ．，Ｎ．Ｇｉｒａｒｄｉｎ，ｅｔ  ａｌ．（２００９）．“ｄｅｌｔａ−ｈｅｍｏｌｙｓｉｎ，  ａｎ  ｕｐｄａｔｅ  ｏｎ  ａ  １０  ｍｅｍｂｒａｎｅ−ｉｎｔｅｒａｃｔｉｎｇ  ｐｅｐｔｉｄｅ．”Ｐｅｐｔｉｄｅｓ  ３０（４）：８１７−８２３
【非特許文献５】Ｆｅｌｄｅｎ，Ｂ．，Ｆ．Ｖａｎｄｅｎｅｓｃｈ，ｅｔ  ａｌ．（２０１１）．“Ｔｈｅ  Ｓｔａｐｈｙｌｏｃｏｃｃｕｓ  ａｕｒｅｕｓ  ＲＮｏｍｅ  ａｎｄ  ｉｔｓ  ｃｏｍｍｉｔｍｅｎｔ  ｔｏ  ｖｉｒｕｌｅｎｃｅ．”ＰＬｏＳ  Ｐａｔｈｏｇ  ７（３）：ｅ１００２００６
【非特許文献６】Ｓｃｈｗｅｉｚｅｒ，Ｍ．Ｌ．，Ｊ．Ｐ．Ｆｕｒｕｎｏ，ｅｔ  ａｌ．（２０１１）．“Ｉｎｃｒｅａｓｅｄ  ｍｏｒｔａｌｉｔｙ  ｗｉｔｈ  ａｃｃｅｓｓｏｒｙ  ｇｅｎｅ  ｒｅｇｕｌａｔｏｒ（ａｇｒ）  ｄｙｓｆｕｎｃｔｉｏｎ  ｉｎ  Ｓｔａｐｈｙｌｏｃｏｃｃｕｓ  ａｕｒｅｕｓ  ａｍｏｎｇ  ｂａｃｔｅｒｅｍｉｃ  ｐａｔｉｅｎｔｓ．”Ａｎｔｉｍｉｃｒｏｂ  Ａｇｅｎｔｓ  Ｃｈｅｍｏｔｈｅｒ  ５５（３）：１０８２−１０８７
【非特許文献７】Ｂａｌａｂａｎ，Ｎ．及びＲ．Ｐ．Ｎｏｖｉｃｋ（１９９５）．“Ｔｒａｎｓｌａｔｉｏｎ  ｏｆ  ＲＮＡＩＩＩ，ｔｈｅ  Ｓｔａｐｈｙｌｏｃｏｃｃｕｓ  ａｕｒｅｕｓ  ａｇｒ  ｒｅｇｕｌａｔｏｒｙ  ＲＮＡ  ｍｏｌｅｃｕｌｅ，  ｃａｎ  ｂｅ  ａｃｔｉｖａｔｅｄ  ｂｙ  ａ  ３’−ｅｎｄ  ｄｅｌｅｔｉｏｎ．”ＦＥＭＳ  Ｍｉｃｒｏｂｉｏｌ  Ｌｅｔｔ  １３３（１−２）：１５５−１６１
【非特許文献８】Ｓｏｍｅｒｖｉｌｌｅ，Ｇ．Ａ．，Ａ．Ｃｏｃｋａｙｎｅ，ｅｔ  ａｌ．（２００３）．“Ｓｙｎｔｈｅｓｉｓ  ａｎｄ  ｄｅｆｏｒｍｙｌａｔｉｏｎ  ｏｆ  Ｓｔａｐｈｙｌｏｃｏｃｃｕｓ  ａｕｒｅｕｓ  ｄｅｌｔａ−ｔｏｘｉｎ  ａｒｅ  ｌｉｎｋｅｄ  ｔｏ  ｔｒｉｃａｒｂｏｘｙｌｉｃ  ａｃｉｄ  ｃｙｃｌｅ  ａｃｔｉｖｉｔｙ．”Ｊ  Ｂａｃｔｅｒｉｏｌ  １８５（２２）：６６８６−６６９４
【非特許文献９】Ｋｒｅｇｅｒ，Ａ．Ｓ．，Ｋ．Ｓ．Ｋｉｍ，ｅｔ  ａｌ．（１９７１）．“Ｐｕｒｉｆｉｃａｔｉｏｎ  ａｎｄ  ｐｒｏｐｅｒｔｉｅｓ  ｏｆ  ｓｔａｐｈｙｌｏｃｏｃｃａｌ  ｄｅｌｔａ  ｈｅｍｏｌｙｓｉｎ．”Ｉｎｆｅｃｔ  Ｉｍｍｕｎ  ３（３）：４４９−４６５
【非特許文献１０】Ｆｉｔｔｏｎ，Ｊ．Ｅ．，Ａ．Ｄｅｌｌ，ｅｔ  ａｌ．（１９８０）．“Ｔｈｅ  ａｍｉｎｏ  ａｃｉｄ  ｓｅｑｕｅｎｃｅ  ｏｆ  ｔｈｅ  ｄｅｌｔａ  ｈａｅｍｏｌｙｓｉｎ  ｏｆ  Ｓｔａｐｈｙｌｏｃｏｃｃｕｓ  ａｕｒｅｕｓ．”ＦＥＢＳ  Ｌｅｔｔ  １１５（２）：２０９−２１２
【非特許文献１１】Ｔｕｒｎｅｒ，Ｗ．Ｈ．（１９７８）．“Ｐｕｒｉｆｉｃａｔｉｏｎ  ａｎｄ  ｃｈａｒａｃｔｅｒｉｚａｔｉｏｎ  ｏｆ  ａｎ  ｉｍｍｕｎｏｌｏｇｉｃａｌｌｙ  ｄｉｓｔｉｎｃｔ  ｄｅｌｔａ−ｈｅｍｏｌｙｓｉｎ  ｆｒｏｍ  ａ  ｃａｎｉｎｅ  ｓｔｒａｉｎ  ｏｆ  Ｓｔａｐｈｙｌｏｃｏｃｃｕｓ  ａｕｒｅｕｓ．”Ｉｎｆｅｃｔ  Ｉｍｍｕｎ  ２０（２）：４８５−４９４
【非特許文献１２】Ｆｉｇｕｅｉｒｅｄｏ，Ａ．Ｍ．，Ｓ．Ｊａｒｒａｕｄ，ｅｔ  ａｌ．（２０００）．“Ｄｉｒｅｃｔ  Ｓｕｂｍｉｓｓｉｏｎ．”２０００，ｈｔｔｐ：／／ｗｗｗ．ｎｃｂｉ．ｎｌｍ．ｎｉｈ．ｇｏｖ／ｐｒｏｔｅｉｎ／ＡＡＧ０３０５４．１．より
【非特許文献１３】Ｔｒａｂｅｒ，Ｋ．Ｅ．，Ｅ．Ｌｅｅ，ｅｔ  ａｌ．（２００８）．“ａｇｒ  ｆｕｎｃｔｉｏｎ  ｉｎ  ｃｌｉｎｉｃａｌ  Ｓｔａｐｈｙｌｏｃｏｃｃｕｓ  ａｕｒｅｕｓ  ｉｓｏｌａｔｅｓ．”Ｍｉｃｒｏｂｉｏｌｏｇｙ  １５４（Ｐｔ  ８）：２２６５−２２７４
【非特許文献１４】Ｔｓｕｊｉ，Ｂ．Ｔ．，Ｒ．Ｄ．Ｍａｃｌｅａｎ，ｅｔ  ａｌ．（２０１１）．“Ｉｍｐａｃｔ  ｏｆ  ａｃｃｅｓｓｏｒｙ  ｇｅｎｅ  ｒｅｇｕｌａｔｏｒ  （ａｇｒ）  ｄｙｓｆｕｎｃｔｉｏｎ  ｏｎ  ｖａｎｃｏｍｙｃｉｎ  ｐｈａｒｍａｃｏｄｙｎａｍｉｃｓ  ａｍｏｎｇ  Ｃａｎａｄｉａｎ  ｃｏｍｍｕｎｉｔｙ  ａｎｄ  ｈｅａｌｔｈ−ｃａｒｅ  ａｓｓｏｃｉａｔｅｄ  ｍｅｔｈｉｃｉｌｌｉｎ−ｒｅｓｉｓｔａｎｔ  Ｓｔａｐｈｙｌｏｃｏｃｃｕｓ  ａｕｒｅｕｓ．”Ａｎｎ  Ｃｌｉｎ  Ｍｉｃｒｏｂｉｏｌ  Ａｎｔｉｍｉｃｒｏｂ  １０：２０
【非特許文献１５】Ｒｏｓｅ，Ｗ．Ｅ．，Ｍ．Ｊ．Ｒｙｂａｋ，ｅｔ  ａｌ．（２００７）．“Ｃｏｒｒｅｌａｔｉｏｎ  ｏｆ  ｖａｎｃｏｍｙｃｉｎ  ａｎｄ  ｄａｐｔｏｍｙｃｉｎ  ｓｕｓｃｅｐｔｉｂｉｌｉｔｙ  ｉｎ  Ｓｔａｐｈｙｌｏｃｏｃｃｕｓ  ａｕｒｅｕｓ  ｉｎ  ｒｅｆｅｒｅｎｃｅ  ｔｏ  ａｃｃｅｓｓｏｒｙ  ｇｅｎｅ  ｒｅｇｕｌａｔｏｒ（ａｇｒ）  ｐｏｌｙｍｏｒｐｈｉｓｍ  ａｎｄ  ｆｕｎｃｔｉｏｎ．”Ｊ  Ａｎｔｉｍｉｃｒｏｂ  Ｃｈｅｍｏｔｈｅｒ  ５９（６）：１１９０−１１９３
【非特許文献１６】Ｆｏｗｌｅｒ，Ｖ．Ｇ．，Ｊｒ．，Ｇ．Ｓａｋｏｕｌａｓ，ｅｔ  ａｌ．（２００４）．“Ｐｅｒｓｉｓｔｅｎｔ  ｂａｃｔｅｒｅｍｉａ  ｄｕｅ  ｔｏ  ｍｅｔｈｉｃｉｌｌｉｎ−ｒｅｓｉｓｔａｎｔ  Ｓｔａｐｈｙｌｏｃｏｃｃｕｓ  ａｕｒｅｕｓ  ｉｎｆｅｃｔｉｏｎ  ｉｓ  ａｓｓｏｃｉａｔｅｄ  ｗｉｔｈ  ａｇｒ  ｄｙｓｆｕｎｃｔｉｏｎ  ａｎｄ  ｌｏｗ−ｌｅｖｅｌ  ｉｎ  ｖｉｔｒｏ  ｒｅｓｉｓｔａｎｃｅ  ｔｏ  ｔｈｒｏｍｂｉｎ−ｉｎｄｕｃｅｄ  ｐｌａｔｅｌｅｔ  ｍｉｃｒｏｂｉｃｉｄａｌ  ｐｒｏｔｅｉｎ．”Ｊ  Ｉｎｆｅｃｔ  Ｄｉｓ  １９０（６）：１１４０−１１４９
【非特許文献１７】Ｂｒｕｎｓｋｉｌｌ，Ｅ．Ｗ．及びＫ．Ｗ．Ｂａｙｌｅｓ（１９９６）．“Ｉｄｅｎｔｉｆｉｃａｔｉｏｎ  ａｎｄ  ｍｏｌｅｃｕｌａｒ  ｃｈａｒａｃｔｅｒｉｚａｔｉｏｎ  ｏｆ  ａ  ｐｕｔａｔｉｖｅ  ｒｅｇｕｌａｔｏｒｙ  ｌｏｃｕｓ  ｔｈａｔ  ａｆｆｅｃｔｓ  ａｕｔｏｌｙｓｉｓ  ｉｎ  Ｓｔａｐｈｙｌｏｃｏｃｃｕｓ  ａｕｒｅｕｓ．”Ｊ  Ｂａｃｔｅｒｉｏｌ  １７８（３）：６１１−６１８
【非特許文献１８】Ｖｕｏｎｇ，Ｃ．，Ｈ．Ｌ．Ｓａｅｎｚ，ｅｔ  ａｌ．（２０００）．“Ｉｍｐａｃｔ  ｏｆ  ｔｈｅ  ａｇｒ  ｑｕｏｒｕｍ−ｓｅｎｓｉｎｇ  ｓｙｓｔｅｍ  ｏｎ  ａｄｈｅｒｅｎｃｅ  ｔｏ  ｐｏｌｙｓｔｙｒｅｎｅ  ｉｎ  Ｓｔａｐｈｙｌｏｃｏｃｃｕｓ  ａｕｒｅｕｓ．”Ｊ  Ｉｎｆｅｃｔ  Ｄｉｓ  １８２（６）：１６８８−１６９３
【非特許文献１９】Ｂｏｌｅｓ，Ｂ．Ｒ．及びＡ．Ｒ．Ｈｏｒｓｗｉｌｌ（２００８）．“Ａｇｒ−ｍｅｄｉａｔｅｄ  ｄｉｓｐｅｒｓａｌ  ｏｆ  Ｓｔａｐｈｙｌｏｃｏｃｃｕｓ  ａｕｒｅｕｓ  ｂｉｏｆｉｌｍｓ．”ＰＬｏＳ  Ｐａｔｈｏｇ  ４（４）：ｅ１００００５２
【非特許文献２０】Ｓａｋｏｕｌａｓ，Ｇ．，Ｇ．Ｍ．Ｅｌｉｏｐｏｕｌｏｓ，ｅｔ  ａｌ．（２００５）．“Ｒｅｄｕｃｅｄ  ｓｕｓｃｅｐｔｉｂｉｌｉｔｙ  ｏｆ  Ｓｔａｐｈｙｌｏｃｏｃｃｕｓ  ａｕｒｅｕｓ  ｔｏ  ｖａｎｃｏｍｙｃｉｎ  ａｎｄ  ｐｌａｔｅｌｅｔ  ｍｉｃｒｏｂｉｃｉｄａｌ  ｐｒｏｔｅｉｎ  ｃｏｒｒｅｌａｔｅｓ  ｗｉｔｈ  ｄｅｆｅｃｔｉｖｅ  ａｕｔｏｌｙｓｉｓ  ａｎｄ  ｌｏｓｓ  ｏｆ  ａｃｃｅｓｓｏｒｙ  ｇｅｎｅ  ｒｅｇｕｌａｔｏｒ（ａｇｒ）  ｆｕｎｃｔｉｏｎ．”Ａｎｔｉｍｉｃｒｏｂ  Ａｇｅｎｔｓ  Ｃｈｅｍｏｔｈｅｒ  ４９（７）：２６８７−２６９２
【非特許文献２１】Ｓａｋｏｕｌａｓ，Ｇ．，Ｈ．Ｓ．Ｇｏｌｄ，ｅｔ  ａｌ．（２００６）．“Ｅｆｆｅｃｔｓ  ｏｆ  ｐｒｏｌｏｎｇｅｄ  ｖａｎｃｏｍｙｃｉｎ  ａｄｍｉｎｉｓｔｒａｔｉｏｎ  ｏｎ  ｍｅｔｈｉｃｉｌｌｉｎ−ｒｅｓｉｓｔａｎｔ  Ｓｔａｐｈｙｌｏｃｏｃｃｕｓ  ａｕｒｅｕｓ（ＭＲＳＡ）  ｉｎ  ａ  ｐａｔｉｅｎｔ  ｗｉｔｈ  ｒｅｃｕｒｒｅｎｔ  ｂａｃｔｅｒａｅｍｉａ．”Ｊ  Ａｎｔｉｍｉｃｒｏｂ  Ｃｈｅｍｏｔｈｅｒ  ５７（４）：６９９−７０４
【非特許文献２２】Ｓａｋｏｕｌａｓ，Ｇ．，Ｇ．Ｍ．Ｅｌｉｏｐｏｕｌｏｓ，ｅｔ  ａｌ．（２００２）．“Ａｃｃｅｓｓｏｒｙ  ｇｅｎｅ  ｒｅｇｕｌａｔｏｒ（ａｇｒ）  ｌｏｃｕｓ  ｉｎ  ｇｅｏｇｒａｐｈｉｃａｌｌｙ  ｄｉｖｅｒｓｅ  Ｓｔａｐｈｙｌｏｃｏｃｃｕｓ  ａｕｒｅｕｓ  ｉｓｏｌａｔｅｓ  ｗｉｔｈ  ｒｅｄｕｃｅｄ  ｓｕｓｃｅｐｔｉｂｉｌｉｔｙ  ｔｏ  ｖａｎｃｏｍｙｃｉｎ．”Ａｎｔｉｍｉｃｒｏｂ  Ａｇｅｎｔｓ  Ｃｈｅｍｏｔｈｅｒ  ４６（５）：１４９２−１５０２
【非特許文献２３】Ｇｏｅｒｋｅ，Ｃ．，Ｓ．Ｃａｍｐａｎａ，ｅｔ  ａｌ．（２０００）．“Ｄｉｒｅｃｔ  ｑｕａｎｔｉｔａｔｉｖｅ  ｔｒａｎｓｃｒｉｐｔ  ａｎａｌｙｓｉｓ  ｏｆ  ｔｈｅ  ａｇｒ  ｒｅｇｕｌｏｎ  ｏｆ  Ｓｔａｐｈｙｌｏｃｏｃｃｕｓ  ａｕｒｅｕｓ  ｄｕｒｉｎｇ  ｈｕｍａｎ  ｉｎｆｅｃｔｉｏｎ  ｉｎ  ｃｏｍｐａｒｉｓｏｎ  ｔｏ  ｔｈｅ  ｅｘｐｒｅｓｓｉｏｎ  ｐｒｏｆｉｌｅ  ｉｎ  ｖｉｔｒｏ．”Ｉｎｆｅｃｔ  Ｉｍｍｕｎ  ６８（３）：１３０４−１３１１
【非特許文献２４】Ｋｏｒｎｂｌｕｍ，Ｊ．Ｓ．，Ｓ．Ｊ．Ｐｒｏｊａｎ，ｅｔ  ａｌ．（１９８８）．“Ａ  ｒａｐｉｄ  ｍｅｔｈｏｄ  ｔｏ  ｑｕａｎｔｉｔａｔｅ  ｎｏｎ−ｌａｂｅｌｅｄ  ＲＮＡ  ｓｐｅｃｉｅｓ  ｉｎ  ｂａｃｔｅｒｉａｌ  ｃｅｌｌｓ．”Ｇｅｎｅ  ６３（１）：７５−８５
【非特許文献２５】Ｔｒａｂｅｒ，Ｋ．及びＲ．Ｎｏｖｉｃｋ（２００６）．“Ａ  ｓｌｉｐｐｅｄ−ｍｉｓｐａｉｒｉｎｇ  ｍｕｔａｔｉｏｎ  ｉｎ  ＡｇｒＡ  ｏｆ  ｌａｂｏｒａｔｏｒｙ  ｓｔｒａｉｎｓ  ａｎｄ  ｃｌｉｎｉｃａｌ  ｉｓｏｌａｔｅｓ  ｒｅｓｕｌｔｓ  ｉｎ  ｄｅｌａｙｅｄ  ａｃｔｉｖａｔｉｏｎ  ｏｆ  ａｇｒ  ａｎｄ  ｆａｉｌｕｒｅ  ｔｏ  ｔｒａｎｓｌａｔｅ  ｄｅｌｔａ−  ａｎｄ  ａｌｐｈａ−ｈａｅｍｏｌｙｓｉｎｓ．”Ｍｏｌ  Ｍｉｃｒｏｂｉｏｌ  ５９（５）：１５１９−１５３０
【非特許文献２６】Ｏｔｔｏ，Ｍ．及びＦ．Ｇｏｔｚ（２０００）．“Ａｎａｌｙｓｉｓ  ｏｆ  ｑｕｏｒｕｍ  ｓｅｎｓｉｎｇ  ａｃｔｉｖｉｔｙ  ｉｎ  ｓｔａｐｈｙｌｏｃｏｃｃｉ  ｂｙ  ＲＰ−ＨＰＬＣ  ｏｆ  ｓｔａｐｈｙｌｏｃｏｃｃａｌ  ｄｅｌｔａ−ｔｏｘｉｎ．”Ｂｉｏｔｅｃｈｎｉｑｕｅｓ  ２８（６）：１０８８，１０９０，１０９２，１０９６
【発明の概要】
【発明が解決しようとする課題】
【００２１】
上記に鑑み、本発明者らは、黄色ブドウ球菌のコロニーを検査するための方法であって、診断を下すこと、及び／又は、δ溶血素の有無との関連を確立することを可能にする新規方法に着目した。この方法は迅速且つ容易であり、特に、タンパク質の抽出のためにわずらわしい工程を必要としない。
【課題を解決するための手段】
【００２２】
本発明は、黄色ブドウ球菌の細菌集団を含むサンプルを質量分析法で検査する方法であって、
ａ）上記サンプル中に存在する分子をレーザービームの作用によりイオン化することが可能な媒体に上記サンプルを接触させて置く工程、
ｂ）上記サンプル中に存在する分子をレーザービームを用いてイオン化する工程、
ｃ）得られたイオン化された分子を電位差によって加速する工程、
ｄ）そのイオン化され、加速された分子を、減圧下の少なくとも１本の管内で自由に移動させる工程、
ｅ）そのイオン化され、加速され、自由に移動させた分子の少なくとも一部を検出して、それらが減圧下の少なくとも１本の管を通過するのにかかった時間を測定するとともに、任意の瞬間に検出されたイオン化された分子の数に相当するシグナルを得る工程、
ｆ）その検出された分子の質量電荷比［ｍ／ｚ］を算出して、その検出された分子のｍ／ｚ比の関数として、同じ質量電荷比［ｍ／ｚ］のイオン化された分子の数に相当するシグナルを得る工程、
ｇ）工程ｂ）で得られたイオン化された分子のなかに、質量／電荷比［ｍ／ｚ］が３００５±５Ｔｈ又は３０３５±５Ｔｈのイオン化された分子が存在するかどうかを直接又は間接的に決定する工程、
ｈ）工程ｇ）で得られた結果に沿った決定を下す工程
を含む方法に関する。
【００２３】
第一の選択的実施形態によると、工程ｈ）は、ｍ／ｚが３００５±５Ｔｈのイオン化された分子とｍ／ｚが３０３５±５Ｔｈのイオン化された分子の両方が存在しないことと、分析中の黄色ブドウ球菌の細菌集団にδ溶血素及びその変異体Ｇ１０Ｓが存在しないこととの相関性を用いる工程である。
【００２４】
配列番号１：ＸａａＡＱＤＩＩＳＴＩＧＤＬＶＫＷＩＩＤＴＶＮＫＦＴＫＫ（Ｘａａ＝Ｎ末端位に表されたメチオニン）の配列を有するδ溶血素のプロトン化した単一同位体質量（ＭＨ＋）は、３００５，６Ｔｈである。
【００２５】
配列番号２：ＸａａＡＱＤＩＩＳＴＩＳＤＬＶＫＷＩＩＤＴＶＮＫＦＴＫＫ（Ｘａａ＝Ｎ末端位に表されたメチオニン）の配列を有するその変異体のプロトン化した単一同位体質量（ＭＨ＋）は、３０３５，６Ｔｈである。
【００２６】
第二の選択的実施形態によると、工程ｈ）は、ｍ／ｚが３００５±５Ｔｈのイオン化された分子とｍ／ｚが３０３５±５Ｔｈのイオン化された分子の両方が存在しないことと、分析中の黄色ブドウ球菌の細菌集団のａｇｒ（「Ａｃｃｅｓｓｏｒｙ  Ｇｅｎｅ  Ｒｅｇｕｌａｔｏｒ」）システムが機能不全であることとの相関性を用いる工程である。
【００２７】
第三の選択的実施形態によると、分析する黄色ブドウ球菌の細菌集団は、患者から採取した生体サンプル由来であり、工程ｈ）は、ｍ／ｚが３００５±５Ｔｈのイオン化された分子とｍ／ｚが３０３５±５Ｔｈのイオン化された分子の両方が存在しないことと、ａｇｒシステムの機能不全に関連することが知られている臨床診断を上記患者に対して下すこととの相関性を用いる工程である。
【００２８】
第四の選択的実施形態によると、分析する黄色ブドウ球菌の細菌集団は、患者から採取した生体サンプル由来であり、工程ｈ）は、ｍ／ｚが３００５±５Ｔｈのイオン化された分子とｍ／ｚが３０３５±５Ｔｈのイオン化された分子の両方が存在しないことと、上記患者が慢性感染症を有するとの診断との相関性を用いる工程である。慢性感染症は、検査時に分離された黄色ブドウ球菌株と同一の耐性記録を有する株が、６か月前まで分離されていることを確認するという臨床・生物学的基準に基づいて定義される。そのような慢性感染症の例として、骨・関節感染症、慢性糖尿病性足感染症、移植可能な血管装置による感染症が挙げられる。
【００２９】
第五の選択的実施形態によると、工程ｈ）は、ｍ／ｚが３００５±５Ｔｈのイオン化された分子とｍ／ｚが３０３５±５Ｔｈのイオン化された分子の両方が存在しないことと、分析中の黄色ブドウ球菌の細菌集団をグリコペプチドに対する感受性が低い恐れがあるもの（すなわちＧＩＳＡ）として分類することとの相関性を用いる工程である。
【発明を実施するための形態】
【００３０】
本発明の方法を適用するサンプルは、生体由来、特に動物又はヒト由来であってもよい。そして、全血、血清、血漿、尿、脳脊髄液、有機分泌物等の体液のサンプル、組織サンプル、又は、分離された細胞に相当するものであってもよい。このサンプルは、そのまま使用してもよいし、あるいは、検査前に当業者に公知の方法に従って濃縮型又は培養型の調製を施してもよい。
【００３１】
本発明の範囲内において、検査するサンプルは、細菌集団を含む細胞媒体に相当するものであり、抽出又は精製工程を経て得られた１種以上のタンパク質ではない。検査するサンプルは細菌集団を含むこと、すなわち、含まれる細菌数は少なくとも１０であることが好ましい。
【００３２】
特に、生体サンプル由来の細菌培養液、又は、血液培養物から検出を行ってもよい。最も多くの場合、ゲロースでの細菌培養物から得たサンプルから質量スペクトルを得る。
【００３３】
細胞媒体を直接マトリックス中又はマトリックス上に懸濁してもよい。このような方法は、全細胞型質量分析（ＷＣ−ＭＳ（「ｗｈｏｌｅ−ｃｅｌｌ  ｍａｓｓ  ｓｐｅｃｔｒｏｍｅｔｒｙ」））の名前で知られており、長くて時間のかかる抽出操作を事前に行わずに実施できる。この方法は、以前から既に細菌の同定のために広く用いられているものの、タンパク質同定の際の使用は、サンプルが複雑であることから非常に限られている。ほとんどの場合、ＷＣ−ＭＳで得られたプロファイルに対応するタンパク質の割り当ては知られていないか、あるいは曖昧なものである。細菌の同定につながるタンパク質プロファイルは、これらのプロファイルのタンパク質組成（すなわち、ピークとタンパク質との対応）をみることなく、ただ比較される（Ｗｅｌｋｅｒ，Ｍ．及びＥ．Ｒ．Ｍｏｏｒｅ（２０１１）．“Ａｐｐｌｉｃａｔｉｏｎｓ  ｏｆ  ｗｈｏｌｅ−ｃｅｌｌ  ｍａｔｒｉｘ−１５  ａｓｓｉｓｔｅｄ  ｌａｓｅｒ−ｄｅｓｏｒｐｔｉｏｎ／ｉｏｎｉｚａｔｉｏｎ  ｔｉｍｅ−ｏｆ−ｆｌｉｇｈｔ  ｍａｓｓ  ｓｐｅｃｔｒｏｍｅｔｒｙ  ｉｎ  ｓｙｓｔｅｍａｔｉｃ  ｍｉｃｒｏｂｉｏｌｏｇｙ．”Ｓｙｓｔ  Ａｐｐｌ  Ｍｉｃｒｏｂｉｏｌ  ３４（１）：２−１１）。しかしながら、この方法を、細菌による病気の発生に関連したバイオマーカー及び／又はビルレンス因子を検出するために使用することを提案しているものもある（Ｂｉｚｚｉｎｉ，Ａ．及びＧ．Ｇｒｅｕｂ（２０１０）．“Ｍａｔｒｉｘ−ａｓｓｉｓｔｅｄ  ｌａｓｅｒ  ｄｅｓｏｒｐｔｉｏｎ  ｉｏｎｉｚａｔｉｏｎ  ｔｉｍｅ−ｏｆ−ｆｌｉｇｈｔ  ｍａｓｓ  ｓｐｅｃｔｒｏｍｅｔｒｙ，ａ  ｒｅｖｏｌｕｔｉｏｎ  ｉｎ  ｃｌｉｎｉｃａｌ  ｍｉｃｒｏｂｉａｌ  ｉｄｅｎｔｉｆｉｃａｔｉｏｎ．”Ｃｌｉｎ  Ｍｉｃｒｏｂｉｏｌ  Ｉｎｆｅｃｔ  １６（１１）：１６１４−１６１９）。黄色ブドウ球菌については、ＭＲＳＡとＭＳＳＡを区別可能であると示しているものもあるが、使用している株のコレクションが限られており（ｎ＝１０株）、サンプルを調製するための予備操作（すなわち化学的及び機械的抽出）を必要とするものであった（Ｅｄｗａｒｄｓ−Ｊｏｎｅｓ，Ｖ．，Ｍ．Ａ．Ｃｌａｙｄｏｎ，ｅｔ  ａｌ．（２０００）．“Ｒａｐｉｄ  ｄｉｓｃｒｉｍｉｎａｔｉｏｎ  ｂｅｔｗｅｅｎ  ｍｅｔｈｉｃｉｌｌｉｎ−ｓｅｎｓｉｔｉｖｅ  ａｎｄ  ｍｅｔｈｉｃｉｌｌｉｎ−ｒｅｓｉｓｔａｎｔ  Ｓｔａｐｈｙｌｏｃｏｃｃｕｓ  ａｕｒｅｕｓ  ｂｙ  ｉｎｔａｃｔ  ｃｅｌｌ  ｍａｓｓ  ｓｐｅｃｔｒｏｍｅｔｒｙ．”Ｊ  Ｍｅｄ  Ｍｉｃｒｏｂｉｏｌ  ４９（３）：２９５−３００）。他に、黄色ブドウ球菌のＰＶＬが検出可能であると記載しているものもある（Ｂｉｔｔａｒ，Ｆ．，Ｚ．Ｏｕｃｈｅｎａｎｅ，ｅｔ  ａｌ．（２００９）．“ＭＡＬＤＩ−ＴＯＦ−ＭＳ  ｆｏｒ  ｒａｐｉｄ  ｄｅｔｅｃｔｉｏｎ  ｏｆ  ｓｔａｐｈｙｌｏｃｏｃｃａｌ  Ｐａｎｔｏｎ−Ｖａｌｅｎｔｉｎｅ  ｌｅｕｋｏｃｉｄｉｎ．”Ｉｎｔ  Ｊ  Ａｎｔｉｍｉｃｒｏｂ  Ａｇｅｎｔｓ  ３４（５）：４６７−４７０）。しかしながら、これらの結果は非特異的であることが分かっており、おそらく分析した株のコレクションが同一クローンに属することを反映したものと思���れる（Ｄａｕｗａｌｄｅｒ，Ｏ．，Ｅ．Ｃａｒｂｏｎｎｅｌｌｅ，ｅｔ  ａｌ．（２０１０），“Ｄｅｔｅｃｔｉｏｎ  ｏｆ  Ｐａｎｔｏｎ−Ｖａｌｅｎｔｉｎｅ  ｔｏｘｉｎ  ｉｎ  Ｓｔａｐｈｙｌｏｃｏｃｃｕｓ  ａｕｒｅｕｓ  ｂｙ  ｍａｓｓ  ｓｐｅｃｔｒｏｍｅｔｒｙ  ｄｉｒｅｃｔｌｙ  ｆｒｏｍ  ｃｏｌｏｎｙ：ｔｉｍｅ  ｈａｓ  ｎｏｔ  ｙｅｔ  ｃｏｍｅ．”Ｉｎｔ  Ｊ  Ａｎｔｉｍｉｃｒｏｂ  Ａｇｅｎｔｓ  ３６（２）：１９３−１９４；Ｓｚａｂａｄｏｓ，Ｆ．，Ｋ．Ｂｅｃｋｅｒ，ｅｔ  ａｌ．（２０１１）．“Ｔｈｅ  ｍａｔｒｉｘ−ａｓｓｉｓｔｅｄ  ｌａｓｅｒ  ｄｅｓｏｒｐｔｉｏｎ／ｉｏｎｉｓａｔｉｏｎ  ｔｉｍｅ−ｏｆ−ｆｌｉｇｈｔ  ｍａｓｓ  ｓｐｅｃｔｒｏｍｅｔｒｙ（ＭＡＬＤＩ−ＴＯＦ  ＭＳ）−ｂａｓｅｄ  ｐｒｏｔｅｉｎ  ｐｅａｋｓ  ｏｆ  ４４４８  ａｎｄ  ５３０２  Ｄａ  ａｒｅ  ｎｏｔ  ａｓｓｏｃｉａｔｅｄ  ｗｉｔｈ  ｔｈｅ  ｐｒｅｓｅｎｃｅ  ｏｆ  Ｐａｎｔｏｎ−Ｖａｌｅｎｔｉｎｅ  ｌｅｕｋｏｃｉｄｉｎ．”Ｉｎｔ  Ｊ  Ｍｅｄ  Ｍｉｃｒｏｂｉｏｌ  ３０１（１）：５８−６３）。
【００３４】
そこで、本発明の範囲内において、本発明者らは、全く予想されなかった方法で、得られた質量スペクトルにｍ／ｚ値が３００５±５Ｔｈ又は３０３５±５Ｔｈのピークが存在すること、並びに、３００５±５Ｔｈ及び３０３５±５Ｔｈの両方のピークが存在しないことはそれぞれ、δ溶血素又はその変異体が存在すること及び存在しないことに関連し得ることを示し、したがって、臨床診断を下すことを可能にした。
【００３５】
本発明に係る方法の範囲内において、用いる選択的形態に関わらず、質量分析は、細菌数が１０〜１０９、好ましくは１０５〜１０６の集団を含むサンプルに行うのが有利で好ましい。質量分析にかけるサンプルを３５±２℃で１８〜４８時間培養した後、黄色ブドウ球菌増殖用の標準ゲロース培地に配置する場合、その細菌数は、コロニー形成単位（ＣＦＵ）のカウント数に等しいものとする。
【００３６】
通常、飛行時間の測定と組み合わせた任意のマトリックス支援脱離イオン化質量分析法を本発明の範囲内において用いることができる。
【００３７】
特定の実施形態では、用いる質量分析法は、マトリックス支援レーザー脱離イオン化−飛行時間型（ＭＡＬＤＩ−ＴＯＦ）「質量分析」（ＭＳ）であり、これは特に比較的容易に適用できるという利点がある。
【００３８】
他の特定の実施形態によると、用いる質量分析法は、飛行時間に応じて２回の連続した分離を行うＭＡＬＤＩ−ＴＯＦ−ＴＯＦタンデムＭＳであり、これは特に非常に良好な特異度を有するという利点がある。
【００３９】
イオン化の前に、サンプルをマトリックスと接触させて置くことが好ましい。
【００４０】
使用するマトリックスは、３，５−ジメトキシ−４−ヒドロキシケイ皮酸（すなわち、シナプ酸又はシナピン酸）、α−シアノ−４−ヒドロキシケイ皮酸（すなわち、α−シアノ、α−マトリックス又はＣＨＣＡ）、フェルラ酸及び２，５−ジヒドキシ安息香酸（すなわちＤＨＢ）から選択される化合物を含むことが有利である。
【００４１】
サンプルをマトリックスと接触させて置くための以下のような配置法を本発明の範囲内において用いることができる。乾燥したマトリックス層に配置するいわゆる「薄層」配置、マトリックスを滴下して配置するいわゆる「乾燥滴下」配置、マトリックス層に配置した後にマトリックスを滴下するいわゆる「サンドウィッチ」配置が挙げられる。
【００４２】
通常、マトリックスは感光性であり、サンプルの存在下で分子の完全性を保ちながら結晶化される。そのようなマトリックス、特にＭＳ  ＭＡＬＤＩ−ＴＯＦに適合したものは周知であり、３，５−ジメトキシ−４−ヒドロキシケイ皮酸、α−シアノ−４−ヒドロキシケイ皮酸、フェルラ酸及び２，５−ジヒドロキシ安息香酸から選択される。他の多くの化合物も当業者には公知である。大気圧でも減圧下でさえも結晶化しない液体マトリックスも存在する（Ｔｈｏｌｅｙ，Ａ．及びＥ．Ｈｅｉｎｚｌｅ（２００６），“Ｉｏｎｉｃ  （ｌｉｑｕｉｄ）  ｍａｔｒｉｃｅｓ  ｆｏｒ  ｍａｔｒｉｘ−ａｓｓｉｓｔｅｄ  ｌａｓｅｒ  ｄｅｓｏｒｐｔｉｏｎ／ｉｏｎｉｚａｔｉｏｎ  ｍａｓｓ  ｓｐｅｃｔｒｏｍｅｔｒｙ−ａｐｐｌｉｃａｔｉｏｎｓ  ａｎｄ  ｐｅｒｓｐｅｃｔｉｖｅｓ．”Ａｎａｌ  Ｂｉｏａｎａｌ  Ｃｈｅｍ  ３８６（１）：２４−３７）。レーザービームの影響下でサンプルの分子をイオン化することが可能な他の化合物を用いてもよい。特に、「ナノ支援レーザー脱離イオン化（ＮＡＬＤＩ）」又は「シリコンを利用した脱離イオン化（ＤＩＯＳ）」法のように、ターゲット、すなわち、サンプルを配置する支持体が直接マトリックスの役割を果たしてもよい。レーザービームは、マトリックスの昇華又は気化を促進する波長であればいかなる波長を有していてもよい。紫外線波長、さらには赤外線波長が好ましく用いられる。
【００４３】
マトリックスでは、上記化合物が、溶液、最も多くの場合は水、好ましくは「超純水」、又は、水／有機溶媒混合物中に含まれている。従来用いられている有機溶媒の例として、アセトン、アセトニトリル、メタノール又はエタノールが挙げられ、トリフルオロ酢酸（ＴＦＡ）が添加されることもある。例えば、マトリックスの一例として、アセトニトリル／水／ＴＦＡ（５０／５０／０．１（ｖ／ｖ））混合物中に含まれた２０ｍｇ／ｍＬのシナプ酸からなるものが挙げられる。水が親水性分子の溶解を可能にするのに対し、有機溶媒はサンプル中の疎水性分子が溶液中に溶解するのを可能にする。ＴＦＡ等の酸が存在すると、プロトン（Ｈ＋）の捕獲によりサンプルの分子のイオン化が促進される。
【００４４】
サンプルをターゲットと称される支持体に、最も多くの場合にはスポット状に配置するのが好ましい。マトリックスはサンプル上に直接配置してもよく、その後、サンプルと混合される。
【００４５】
場合によっては、本発明に係る方法は、さらに、工程ｂ）の前に、サンプルの分子が表面又は内部に吸着したマトリックスの結晶化を行う工程を含む。
【００４６】
最も多くの場合、マトリックスの結晶化は、サンプルが内部又は表面に配置されたマトリックスを乾燥させることによって行われる。
【００４７】
特定の実施形態によると、サンプルを接触させる媒体は、ターゲット上に配置した、ＭＡＬＤＩ  ＭＳに適したマトリックスであり、上記方法は、工程ｂ）の前に、サンプルの分子が表面又は内部に吸着したマトリックスの結晶化を行う。この場合、マトリックスは、３，５−ジメトキシ−４−ヒドロキシケイ皮酸、α−シアノ−４−ヒドロキシケイ皮酸、フェルラ酸及び２，５−ジヒドロキシ安息香酸から選択される化合物を含んでいるのが好ましい。
【００４８】
黄色ブドウ球菌を増やすために、サンプルを事前にブロス又はゲロースで培養しておいてもよい。ゲロースを含む又はブロスとしてのそのような媒体は当業者に周知である。例えば、（ウマ又はヒツジの）血液を含むゲロース；コロンビアゲロース；Ｐｏｌｙｖｉｔｅｘ（Ｒ）「チョコレート」ゲロース；ｂｉｏＭｅｒｉｅｕｘ社製の黄色ブドウ球菌検出用発色ゲロースであるＣｈｒｏｍＩＤ  Ｓｔａｐｈ（Ｒ）等が挙げられる。ゲロースでの濃縮は、ターゲット上に配置される黄色ブドウ球菌の純粋なコロニーを得ることができることから、特に好ましい。その場合、サンプルを例えば１７〜３０℃の範囲の温度、特に室温（２２℃）で数分間、例えば５分〜２時間放置するなどして、マトリックス中の溶媒を蒸発させる。この溶媒の蒸発によって、サンプルが配置されたマトリックスを結晶化させることができる。次に、結晶化したマトリックス中に配置されたサンプルを穏やかにイオン化する。このイオン化は、３３７．１ｎｍのＵＶビームを発する窒素レーザーを用いて行うのが好ましい。
【００４９】
イオン化中、サンプルはレーザーにより励起される。そして、マトリックスの結晶は光子エネルギーを吸収し、このエネルギーが放出されることで、マトリックスが昇華し、サンプルが脱離し、プラズマと呼ばれる状態の物質が出現する。このプラズマ中では、マトリックスとサンプル分子との間で電荷移動が起こる。例えば、プロトンがマトリックスから脱離し、サンプルのタンパク質及びペプチドに運ばれる。この工程により、生体分子を破壊することなく穏やかにイオン化することができる。こうして、サンプルは異なる大きさのイオンを放出する。次いで、このイオンが電界で加速され、減圧下の飛行管と呼ばれる管内で自由飛行する。最も多くの場合、イオン化中及び発生したイオンの加速中に印加される圧力は、１０−６〜１０−９ミリバール［ｍｂａｒ］の範囲である。そして、最も小さいイオンが大きなイオンよりも早く「移動」し、それにより、その分離が可能となる。飛行管の末端には検出器が位置している。イオンの飛行時間（ＴＯＦ）を用いて、その質量を算出する。こうして、検出器に衝突した分子のｍ／ｚ比の関数として、同じ質量電荷比［ｍ／ｚ］のイオン化された分子の数に相当するシグナルの強度を表す質量スペクトルを得る。質量電荷比［ｍ／ｚ］は、Ｔｈｏｍｓｏｎ［Ｔｈ］で表される。質量分析計に導入されてしまえば、サンプルのスペクトルは非常に早く得られ、最も多くの場合、１分未満で得られる。
【００５０】
分析中のサンプルが実際に黄色ブドウ球菌を含むことは、ＭＡＬＤＩ−ＴＯＦ  ＭＳの前に試験を行うか、又は、ＭＡＬＤＩ−ＴＯＦ質量スペクトルの取得と同時に判断することもできる。この場合、全ＭＡＬＤＩ−ＴＯＦ質量スペクトルは、最も多くの場合、７０〜２００のピークを含んでいるが、スペクトルデータベースと比較することにより、分析中の細菌集団が実際に黄色ブドウ球菌に相当するかどうかを決定することができる。この比較は、供給メーカーに応じて異なるアルゴリズムの使用に基づくものであり、この比較により細菌が同定される（Ｃｈｅｒｋａｏｕｉ，Ａ．，Ｊ．Ｈｉｂｂｓ，ｅｔ  ａｌ．（２０１０）．“Ｃｏｍｐａｒｉｓｏｎ  ｏｆ  ｔｗｏ  ｍａｔｒｉｘ−ａｓｓｉｓｔｅｄ  ｌａｓｅｒ  ｄｅｓｏｒｐｔｉｏｎ  ｉｏｎｉｚａｔｉｏｎ−ｔｉｍｅ  ｏｆ  ｆｌｉｇｈｔ  ｍａｓｓ  ｓｐｅｃｔｒｏｍｅｔｒｙ  ｍｅｔｈｏｄｓ  ｗｉｔｈ  ｃｏｎｖｅｎｔｉｏｎａｌ  ｐｈｅｎｏｔｙｐｉｃ  ｉｄｅｎｔｉｆｉｃａｔｉｏｎ  ｆｏｒ  ｒｏｕｔｉｎｅ  ｉｄｅｎｔｉｆｉｃａｔｉｏｎ  ｏｆ  ｂａｃｔｅｒｉａ  ｔｏ  ｔｈｅ  ｓｐｅｃｉｅｓ  ｌｅｖｅｌ．”Ｊ  Ｃｌｉｎ  Ｍｉｃｒｏｂｉｏｌ  ４８（４）：１１６９−１１７５）。
【００５１】
用いる質量分析法、特にＭＡＬＤＩ−ＴＯＦ型又はＭＡＬＤＩ−ＴＯＦ−ＴＯＦ型に関わらず、これまでに詳述したすべての実施形態を適用することができる。
【００５２】
用いる質量分析法がＭＡＬＤＩ−ＴＯＦ  ＭＳの場合、工程ｇ）の決定は、得られた質量スペクトルにｍ／ｚ値が３００５±５Ｔｈ若しくは３０３５±５Ｔｈのピークが存在すること、又は、３００５±５Ｔｈ及び３０３５±５Ｔｈの両方のピークが存在しないことから直接推断されるのが好ましい。
【００５３】
用いる質量分析法がＭＡＬＤＩ−ＴＯＦ−ＴＯＦ  ＭＳの場合、工程ｄ）において、上記イオン化された分子を減圧下の第一管内で移動させ、質量ｍ／ｚが３００５±５Ｔｈのイオン、及び／又は、質量ｍ／ｚが３０３５±５Ｔｈのイオンを選択し、そのイオン化された分子を例えば衝突などによって断片化した後に再び加速して、上記イオン化された分子の断片化されたもの又はされていないものを第二管内で自由に移動させるのが好ましい。
【００５４】
ＭＡＬＤＩ−ＴＯＦ−ＴＯＦ  ＭＳでは、工程ｇ）の決定は、以下のｙ及びｂイオンフラグメント：
・３００５±５Ｔｈのピークの場合には、質量１４７．１１３、２７５．２０８、３７６．２５５、５２３．３２４、６５１．４１９、７６５．４６２、８６４．５３０、９６５．５７８、１０８０．６０５、１１９３．６８９、１３０６．７７３、１４９２．８５２、１６２０．９４７、１７２０．０１６、１８３３．１００、１９４８．１２７、２００５．１４８、２１１８．２３２、２２１９．２８０、２３０６．３１２、２４１９．３９６、２５３２．４８０、２６４７．５０７、２７７５．５６５、２８４６．６０３及び２９７６．６３５±１．５Ｔｈ（公差）のｙイオンフラグメント；並びに、質量１３１．０４０、２０２．０７７、３３０．１３６、４４５．１６３、５５８．２４７、６７１．３３１、７５８．３６３、８５９．４１０、９７２．４９４、１０２９．５１６、１１４４．５４３、１２５７．６２７、１３５６．６９５、１４８４．７９０、１６７０．８７０、１７８３．９５４、１８９７．０３８、２０１２．０６５、２１１３．１１２、２２１２．１８１、２３２６．２２４、２４５４．３１９、２６０１．３８７、２７０２．４３５、２８３０．５３０及び２９５８．６２５±１．５Ｔｈ（公差）のｂイオンフラグメント、並びに／又は、
・３０３５±５Ｔｈのピークの場合には、質量１４７．１１３、２７５．２０８、３７６．２５５、５２３．３２４、６５１．４１９、７６５．４６２、８６４．５３０、９６５．５７８、１０８０．６０５、１１９３．６８９、１３０６．７７３、１４９２．８５２、１６２０．９４７、１７２０．０１６、１８３３．１００、１９４８．１２７、２０３５．１５９、２１４８．２４３、２２４９．２９０、２３３６．３２２、２４４９．４０６、２５６２．４９１、２６７７．５１７、２８０５．５７６、２８７６．６１３及び３００６．６４６±１．５Ｔｈ（公差）のｙイオンフラグメント；並びに、質量１３１．０４０、２０２．０７７、３３０．１３６、４４５．１６３、５５８．２４７、６７１．３３１、７５８．３６３、８５９．４１０、９７２．４９４、１０５９．５２６、１１７４．５５３、１２８７．６３８、１３８６．７０６、１５１４．８０１、１７００．８８０、１８１３．９６４、１９２７．０４８、２０４２．０７５、２１４３．１２３、２２４２．１９１、２３５６．２３４、２４８４．３２９、２６３１．３９８、２７３２．４４５、２８６０．５４０及び２９８８．６３５±１．５Ｔｈ（公差）のｂイオンフラグメント
のうちの少なくとも５個、好ましくは少なくとも１０個のフラグメントの存在から間接的に推断されるのが好ましい。
【００５５】
本発明に従って用いることができるＭＡＬＤＩ−ＴＯＦ質量分析法は、特に、質量スペクトルを得るための以下の連続した工程:
・飛行時間ごとのマトリックス支援脱離イオン化による質量分析に適したマトリックスの表面又は内部に、検査するサンプルを配置する工程、
・上記サンプルの分子が表面又は内部に吸着した上記マトリックスの結晶化を行う工程、
・その結晶化したマトリックス／サンプル混合物をレーザービームを用いてイオン化する工程、
・得られたイオン化された分子を電位差によって加速する工程、
・そのイオン化され、加速された分子を減圧下の管内で自由に移動させる工程、
・そのイオン化された分子を上記管の出口で検出して、それらが減圧下の上記管を通過するのにかかった時間を測定するとともに、任意の瞬間に検出器に到達したイオン化された分子の数に相当するシグナルを得る工程、
・その検出された分子の質量電荷比［ｍ／ｚ］を算出して、その検出された分子のｍ／ｚ比の関数として、同じ質量電荷比［ｍ／ｚ］のイオン化された分子の数に相当するシグナルを得る工程
を含んでもよい。
【００５６】
通常、イオン化された分子の質量電荷比［ｍ／ｚ］と減圧下の管内の移動時間とを関係づける式として表される、用いる質量分析計の予備校正を考慮して、ｍ／ｚ比は算出される。
【００５７】
本発明の範囲内において使用できるＭＡＬＤＩ−ＴＯＦ  ＭＳは、電界に曝露された異なる電荷及び質量のイオンがＡ点からＢ点まで移動する時間の測定に基づくものである。この移動時間の測定は、イオンの質量及び電荷に依存しており、それによりその分離が可能となる（Ｗｅｌｋｅｒ，Ｍ．及びＥ．Ｒ．Ｍｏｏｒｅ（２０１１）．“Ａｐｐｌｉｃａｔｉｏｎｓ  ｏｆ  ｗｈｏｌｅ−ｃｅｌｌ  ｍａｔｒｉｘ−ａｓｓｉｓｔｅｄ  ｌａｓｅｒ−ｄｅｓｏｒｐｔｉｏｎ／ｉｏｎｉｚａｔｉｏｎ  ｔｉｍｅ−ｏｆ−ｆｌｉｇｈｔ  ｍａｓｓ  ｓｐｅｃｔｒｏｍｅｔｒｙ  ｉｎ  ｓｙｓｔｅｍａｔｉｃ  ｍｉｃｒｏｂｉｏｌｏｇｙ．”Ｓｙｓｔ  Ａｐｐｌ  Ｍｉｃｒｏｂｉｏｌ  ３４（１）：２−１１）。
【００５８】
また、本発明の範囲内において使用できるＭＡＬＤＩ−ＴＯＦ−ＴＯＦ法は、特に、質量スペクトルを得るための以下の工程：
・ＭＡＬＤＩ−ＴＯＦ−ＴＯＦ  ＭＳに適したマトリックスの表面又は内部に、検査するサンプルを配置する工程、
・上記サンプルの分子が表面又は内部に吸着した上記マトリックスの結晶化を行う工程、
・その結晶化したマトリックス／サンプル混合物をレーザービームを用いてイオン化する工程、
・得られたイオン化された分子を電位差によって加速する工程、
・そのイオン化され、加速された分子を減圧下の第一管内で自由に移動させる工程、
・上記第一管の通過後、断片化する分子イオンの質量を有するイオン化された分子を選択し、他のすべてのイオンを例えば静電偏向器等によって除去する工程、
・上記イオン化された分子の断片化を、場合によっては不活性ガスを用いることにより、行う工程、
・上記イオン化された分子を加速させるための電位を例えば電位グリッド等により再び増加させて、上記フラグメントイオン及び前駆体イオンに異なる運動エネルギーを付与する工程、
・上記イオン化された分子の断片化されたもの又はされていないものを減圧下の第二管内で自由に移動させる工程、
・そのイオン化された分子を上記管の出口で検出して、それらが減圧下の上記管を通過するのにかかった時間を測定するとともに、任意の瞬間に検出器に到達したイオン化された分子の数に相当するシグナルを得る工程、
・その検出された分子の質量電荷比［ｍ／ｚ］を算出して、その検出された分子のｍ／ｚ比の関数として、同じ質量電荷比［ｍ／ｚ］のイオン化された分子の数に相当するシグナルを得る工程
を含んでもよい。
【００５９】
通常、イオン化された分子の質量電荷比［ｍ／ｚ］と減圧下の管内の移動時間とを関係づける式として表される、用いる質量分析計の予備校正を考慮して、ｍ／ｚ比は算出される。前駆体イオンの質量を用いてこの校正を行ってもよい。
【００６０】
質量スペクトルを作成するために、任意のタイプのＭＡＬＤＩ−ＴＯＦ又はＭＡＬＤＩ−ＴＯＦ／ＴＯＦ質量分析計を用いることができる。そのような分析計は、
ｉ）サンプル／マトリックス混合物をイオン化するためのイオン化源（通常、ＵＶレーザー）と；
ｉｉ）イオン化された分子を電位差を印加することにより加速するための加速器と；
ｉｉｉ）イオン化され、加速された分子が内部で移動する減圧下の管と；
ｉｖ）形成された分子イオンをその質量電荷比（ｍ／ｚ）に応じて分離するための質量分析計と；
ｖ）分子イオンによって直接生成されたシグナルを測定するための検出器
を有する。
【００６１】
ＭＡＬＤＩ−ＴＯＦ−ＴＯＦ質量分析計は、減圧下の管が、延長線上に位置する２つの部分（明細書中、減圧下の第一管及び第二管とも称する）に分かれていることが異なるのみで、あとはＭＡＬＤＩ−ＴＯＦ質量分析計と同一である。この構造により、飛行時間に応じて分子イオンを連続して２回分離することができる。すなわち、第一部分では分子イオンが選択され、その分子イオンが管の第二部分においてフラグメントに分離される。「フラグメント（断片）」とは、選択された分子イオンを破壊することによって得られる任意の分子構造を意味する。
【００６２】
イオンの断片化は、イオン化の初期に行ってもよく、あるいは、上述した管の２つの部分の間に位置する衝突室で行ってもよい。イオン化の初期では、分子に吸収されるレーザービームのエネルギーによって直接、断片化してもよく、あるいは、分子プラズマ中の中性分子又はイオン化された分子同士を衝突させることによって断片化してもよい。断片化がイオンを加速させる段階の前に起こる場合、フラグメントは各々の質量に応じて移動する。加速段階に起こる場合は、いわゆる準安定イオンをうまく分離できない。加速初期以降に起こる場合、フラグメントイオンとそのイオン化された親分子（前駆体イオン）は同じ運動エネルギーを有し、同じ速度で移動する。この最後のタイプの断片化は、ポストソース断片化と呼ばれ、ＭＡＬＤＩ−ＴＯＦ−ＴＯＦ  ＭＳ法で用いられる。管の第一部分（本明細書中、減圧下の第一管とも称する）によって、標的の前駆体イオンの質量を含み、且つ、質量δで限定された質量ウインドウ（領域）を選択することができる。そして、前駆体イオン及びそのフラグメントは、減圧下の管の２つの部分の間で再び加速される。こうして、上記イオンはその質量に応じた運動エネルギーを獲得する。最後に、各々の質量に応じて、減圧下の管の第二部分（本明細書中、減圧下の第二管とも称する）へと移動する。こうして、任意の前駆体イオンについて発生した全部のフラグメントを検出することができる。
【００６３】
この方法の代替法では、減圧下の管の両方の部分の間の衝突室内にアルゴン等の不活性ガスを加える。この場合、イオン化された分子は、不活性ガスと衝突しながら断片化される。その後、それらを上述したように加速し、分離することができる。
【００６４】
ＭＡＬＤＩ  ＴＯＦ／ＴＯＦ  ＭＳによって、タンパク質がペプチド結合の辺りで好ましく断片化され、通常の命名法によるｂタイプイオンとｙタイプイオンが本質的に発生する（Ｐａｉｚｓ，Ｂ．及びＳ．Ｓｕｈａｉ（２００５）．“Ｆｒａｇｍｅｎｔａｔｉｏｎ  ｐａｔｈｗａｙｓ  ｏｆ  ｐｒｏｔｏｎａｔｅｄ  ｐｅｐｔｉｄｅｓ．”Ｍａｓｓ  Ｓｐｅｃｔｒｏｍ  Ｒｅｖ  ２４（４）：５０８−５４８）。インモニウムイオン、フラグメントａ等の他のフラグメントも考えられる。
【００６５】
タンパク質のアミノ酸配列情報を得て、タンパク質配列を同定しようとする目的のために断片化プロファイルを用いることは、当業者が日常的に行っていることである。この目的のために、特に、Ｍａｔｒｉｘ  Ｓｃｉｅｎｃｅ社（英国ロンドン）製のＭａｓｃｏｔ等のソフトウェアパッケージが使用される。
【００６６】
こうして、配列番号１のδ溶血素の大部分は、
・質量１４７．１１３、２７５．２０８、３７６．２５５、５２３．３２４、６５１．４１９、７６５．４６２、８６４．５３０、９６５．５７８、１０８０．６０５、１１９３．６８９、１３０６．７７３、１４９２．８５２、１６２０．９４７、１７２０．０１６、１８３３．１００、１９４８．１２７、２００５．１４８、２１１８．２３２、２２１９．２８０、２３０６．３１２、２４１９．３９６、２５３２．４８０、２６４７．５０７、２７７５．５６５、２８４６．６０３及び２９７６．６３５のｙイオンフラグメント；並びに、
・質量１３１．０４０、２０２．０７７、３３０．１３６、４４５．１６３、５５８．２４７、６７１．３３１、７５８．３６３、８５９．４１０、９７２．４９４、１０２９．５１６、１１４４．５４３、１２５７．６２７、１３５６．６９５、１４８４．７９０、１６７０．８７０、１７８３．９５４、１８９７．０３８、２０１２．０６５、２１１３．１１２、２２１２．１８１、２３２６．２２４、２４５４．３１９、２６０１．３８７、２７０２．４３５、２８３０．５３０及び２９５８．６２５のｂイオンフラグメントとなる。
【００６７】
また、配列番号２のδ溶血素Ｇ１０Ｓの大部分は、
・質量１４７．１１３、２７５．２０８、３７６．２５５、５２３．３２４、６５１．４１９、７６５．４６２、８６４．５３０、９６５．５７８、１０８０．６０５、１１９３．６８９、１３０６．７７３、１４９２．８５２、１６２０．９４７、１７２０．０１６、１８３３．１００、１９４８．１２７、２０３５．１５９、２１４８．２４３、２２４９．２９０、２３３６．３２２、２４４９．４０６、２５６２．４９１、２６７７．５１７、２８０５．５７６、２８７６．６１３及び３００６．６４６のｙイオンフラグメント；並びに、
・質量１３１．０４０、２０２．０７７、３３０．１３６、４４５．１６３、５５８．２４７、６７１．３３１、７５８．３６３、８５９．４１０、９７２．４９４、１０５９．５２６、１１７４．５５３、１２８７．６３８、１３８６．７０６、１５１４．８０１、１７００．８８０、１８１３．９６４、１９２７．０４８、２０４２．０７５、２１４３．１２３、２２４２．１９１、２３５６．２３４、２４８４．３２９、２６３１．３９８、２７３２．４４５、２８６０．５４０及び２９８８．６３５のｂイオンフラグメントとなる。
【００６８】
添付の図面を参照して、実施例によって以下に本発明を説明するが、これらの実施例は本発明を限定する性質のものではない。
【図面の簡単な説明】
【００６９】
【図１】δ溶血素の一次配列を示す（非特許文献１０）。
【図２】ＭＡＬＤＩ  ＴＯＦ  ＭＳによる黄色ブドウ球菌の同質遺伝子系統由来のδ溶血素の検出を示す。
【図３】ＭＡＬＤＩ  ＴＯＦ  ＭＳによる同質遺伝子系統３株及び臨床株２株のδ溶血素の検出に対する培養時間（１８〜４８時間）の影響を検討する。
【図４】ＭＡＬＤＩ  ＴＯＦ  ＭＳによる黄色ブドウ球菌の臨床株由来のδ溶血素及びその変異体Ｇ１０Ｓの検出を示す。
【実施例】
【００７０】
１．装置
●マトリックス
そのまま使用可能なα−シアノ−４−ヒドロキシケイ皮酸［ＣＨＣＡ］マトリックス（品番４１１０７１、ｂｉｏＭｅｒｉｅｕｘ社（フランス国マルシーレトワール））を使用。
【００７１】
●ターゲット及び内部標準
使い捨てのターゲットＶｉｔｅｋ  ＭＳ  ＤＳ（Ｒ）（品番４１０８９３、ｂｉｏＭｅｒｉｅｕｘ社（フランス国マルシーレトワール））を使用。各分析に大腸菌ＡＴＣＣ８７３９株を使用することで、質量分析計の校正を行い、その校正の有効性を確認する。
【００７２】
●配置タイプ
黄色ブドウ球菌株は、少量のコロニーの薄いスメア（薄層状のスメア）として配置する。このスメアを室温で５〜１５分間乾燥させる。その後、１ミリリットルのＣＨＣＡマトリックスを配置してから、室温で約５〜１５分間乾燥させる。
【００７３】
ＭＡＬＤＩ  ＴＯＦ質量分析計
ＭＡＬＤＩ  ＴＯＦ型質量分析計（型式：Ａｘｉｍａ  Ａｓｓｕｒａｎｃｅ（Ｒ）、Ｓｈｉｍａｄｚｕ社（フランス国シャンシュルマルヌ））を使用。
【００７４】
●ＭＡＬＤＩ  ＴＯＦ質量分析計における分析時のパラメーター化
黄色ブドウ球菌株の分析時に以下の質量分析計の調整パラメーターを用いた。
・質量の検出領域：２，０００〜２０，０００Ｔｈ
・レーザーの出力：８０ボルト
・レーザーの周波数：５０ヘルツ
・レーザータイプ：Ｎ２
・質量分析計モード：線形、ポジティブ
・引出電源：８３３０Ｔｈ
・Ａｃｔｉｖａｔｅｄ≪ｓｅｌｆ−ｑｕａｌｉｔｙ≫モード
・最小強度：１０ｍＶ
・最小シグナル／ノイズ比：１０
・最低許容解像度：３００
・ヒット数：５ヒット／プロファイル
・スペクトル毎のプロファイル数：１００
【００７５】
●ソフトウェアパッケージ
Ｓｉｒｗｅｂ−Ｍａｌｄｉ−Ｔｏｆ（Ｒ）ｖｅｒｓｉｏｎ  １１ソフトウェアパッケージ（Ｉ２Ａ社（フランス国ペロル））又はＴａｒｇｅｔ  Ｍａｎａｇｅｒ（Ｒ）ｖｅｒｓｉｏｎ  １．１２ソフトウェアパッケージ（ｂｉｏＭｅｒｉｅｕｘ社（フランス国マルシーレトワール））を用いてプレートの使用計画（ｐｌａｔｅ  ｐｌａｎ）を作成する。質量分析計は、ＬａｕｎｃｈＰａｄ（Ｒ）ｖｅｒｓｉｏｎ  ２．８．４．２００８１１２７ソフトウェアパッケージ（Ｓｈｉｍａｄｚｕ社（フランス国シャンシュルマルヌ））により作動させる。
【００７６】
２．方法
●分析前パラメーター
ウマ血液を含むゲロース（ＴＳＨ、品番４３０６１、ｂｉｏＭｅｒｉｅｕｘ社（フランス国マルシーレトワール））で好気性雰囲気下、３５±２℃で１８〜２４時間、継代培養した後の株を分析。
【００７７】
ポリエチレングリコール（ＰＥＧ）３０００からなる質量分析用校正標準を用いた、２，８００〜３，２００ｍ／ｚの領域における質量分析計の初期校正（細菌同定のためのものとは別に行う）。
【００７８】
●分析パラメーター
少量のコロニーから、細菌同定の際に日常的に用いられる「スメア法」に従って使い捨てのターゲット上に配置。
５〜１５分間室温で乾燥。
ＣＨＣＡマトリックス１μＬを上記配置物上に添加。
５〜１５分間乾燥。
Ｓｉｒｗｅｂ−Ｍａｌｄｉ−Ｔｏｆ（Ｒ）又はＴａｒｇｅｔ  Ｍａｎａｇｅｒ（Ｒ）ソフトウェアパッケージによって「プレートの使用計画」を作成。
質量分析計Ａｘｉｍａ  Ａｓｓｕｒａｎｃｅ（Ｒ）を制御するためのＬａｕｎｃｈｐａｄ（Ｒ）ソフトウェアパッケージを用いてＭＡＬＤＩ  ＴＯＦ  ＭＳによる分析を開始。
【００７９】
３．結果
ａ．検出の有効性
ｉ．黄色ブドウ球菌の同質遺伝子系統の使用
ａｇｒ遺伝子座の対立遺伝子置換で得られたａｇｒ／ｒｎａＩＩＩ／ｈｌｄ系の同質遺伝子系統の分析によって、ａｇｒシステム機能株について３００５±５Ｔｈのピークが存在することが示された。これに対して、ａｇｒシステムが変異していること以外は上記親株と同一である同質遺伝子系統では、３００５±５Ｔｈのピークが存在しなかった。試験したＲＮ６３９０株は、ａｇｒシステムが機能しており、δ溶血素を産生する。一方、ＬＵＧ  ９５０株は、ＲＮ６３９０株から派生したものであるが、ＲＮＡＩＩＩをコードする遺伝子が無効化されており、この株はδ溶血素合成が欠損している。さらに、ＲＮ  ６９１１株は、ＲＮ６３９０株のａｇｒ遺伝子座（ＲＮＡＩＩ及びＲＮＡＩＩＩ）が完全に欠失した株であり、この株はδ溶血素合成が欠損している。表１及び図２に、得られた結果をまとめる。図２には、試験した３株で得られた、ｍ／ｚ比２，８００〜３，２００のＷＣ  ＭＡＬＤＩ−ＴＯＦ  ＭＳ質量スペクトルを示す。
【００８０】
【表１】
0006284883.tif 000002
【００８１】
ｉｉ．室内再現性及び室内精度のデータ
この検出を日常業務として行う場合に、必要とされる培養条件が極めて厳しいものにならないように、室内再現性及び室内精度のデータを確立した。このために、上述した同質遺伝子系統３株（すなわち、ＲＮ６３９０；ＬＵＧ  ９５０；及び、ＲＮ  ６９１１）を使用し、さらに、一方はδ溶血素を発現し（すなわちＢＥ１０４６  １３９５）、他方は発現しない（すなわちＢＥ１０４８  １３５４）臨床株２株を使用した。ウマ血液を含むゲロース（ＴＳＨ、品番４３０６１、ｂｉｏＭｅｒｉｅｕｘ社（フランス国マルシーレトワール））でこれらの株を１８、２４及び４８時間培養した。そして、これらの株をＷＣ−ＭＳ  ＭＡＬＤＩ  ＴＯＦ  ＭＳで２回試験した。すべてのδ溶血素産生株について、すべての場合及びすべての培養時間で３００５±５Ｔｈのピークが検出され、ａｇｒシステムの機能不全株が存在しないことが分かった（図３）。
【００８２】
ｉｉｉ．δ溶血素の検出に対する培地の影響
培地の影響についても評価した。同じ５株（同質遺伝子系統３株、及び、一方はδ溶血素を発現し、他方は発現しない臨床株２株）を以下の５つの異なる培地で好気条件下、２４時間、３５±２℃で培養した。ウマ血液を含むゲロース（ＴＳＨ、品番４３０６１、ｂｉｏＭｅｒｉｅｕｘ社（フランス国マルシーレトワール））；コロンビアゲロース（ＣＯＳ、品番４３０４１、ｂｉｏＭｅｒｉｅｕｘ社（フランス国マルシーレトワール））；「チョコレート」ゲロース（ＰＶＸ、品番４３１０１、ｂｉｏＭｅｒｉｅｕｘ社（フランス国マルシーレトワール））；ゲロースＰ（ＧＰ、Ｂａｃｔｏ−Ｐｅｐｔｏｎｅ  ＤＩＦＣＯ（Ｒ）、Ｂｅｃｔｏｎ  Ｄｉｃｋｉｎｓｏｎ社（フランス国ポンドクレ））；及び、黄色ブドウ球菌検出用発色ゲロース（ＣｈｒｏｍＩＤ  Ｓｔａｐｈ（Ｒ）、品番４３３７１、ｂｉｏＭｅｒｉｅｕｘ社（フランス国マルシーレトワール））。表２に示されるように、これらの異なる培養条件は、３００５±５Ｔｈのピークを用いたＷＣ−ＭＡＬＤＩ  ＴＯＦ  ＭＳによるδ溶血素の検出に影響しない。
【００８３】
【表２】
0006284883.tif 000003
【００８４】
ｉｖ．「Ｃｅｎｔｒｅ  ｄｅ  Ｂｉｏｌｏｇｉｅ  ｅｔ  Ｐａｔｈｏｌｏｇｉｅ  Ｅｓｔ  ｄｅｓ  Ｈｏｓｐｉｃｅｓ  Ｃｉｖｉｌｓ  ｄｅ  Ｌｙｏｎ」の微生物学研究所から得た臨床株のコレクションの前向き分析
３００５±５Ｔｈのピークが存在しないことで明らかになるａｇｒシステムの機能不全の臨床的影響を調べるために、Ｈｏｓｐｉｃｅｓ  Ｃｉｖｉｌｓ  ｄｅ  Ｌｙｏｎ［ＨＣＬ］の「Ｃｅｎｔｒｅ  ｄｅ  Ｂｉｏｌｏｇｉｅ  ｅｔ  Ｐａｔｈｏｌｏｇｉｅ  Ｅｓｔ」［ＣＰＢＥ］の細菌学研究所で２０１０年１１月から２０１１年３月の間に１６８株の分離株のコレクションを予め採取した。これらのうち１３９株（８２．７％）は、ＷＣ−ＭＡＬＤＩ  ＴＯＦ  ＭＳにおいて３００５±５Ｔｈのピークを示し；１２株（７．２％）は、３０３５±５Ｔｈのピークを示すが、３００５±５Ｔｈは示さず；最後に、１７株（１０．１％）は、３００５±５Ｔｈのピークも３０３５±５Ｔｈのピークも示さなかった。第二の方法で得られた結果を確認するために、血液を含むゲロースでの溶血試験を行った。上記１７株は、３００５±５Ｔｈでも３０３５±５Ｔｈでもピークを示さず、溶血も見られなかった。それに対して、３００５±５Ｔｈのピークは示さないが、３０３５±５Ｔｈのピークは示す１０株は、溶血試験陽性であった。最後に、上記１３９株から無作為に選ばれた、３００５±５Ｔｈのピークを有する５株の溶血試験から、δ溶血素の検出が陽性であることが分かった。３００５±５Ｔｈのピークが存在しない場合の３０３５±５Ｔｈのピークの存在が溶血の存在と関連していることを説明するために、δ溶血素をコードする遺伝子ｈｌｄのシークエンシングを行った。上記１０株では、１０位のグリシンがセリンに置換された変異（Ｇ１０Ｓ）が検出されたが、これはＭＡＬＤＩ  ＴＯＦ  ＭＳで測定された質量の変化を説明するものである（図４）。図４にｍ／ｚ比２，８００〜３，２００のＷＣ−ＭＡＬＤＩ  ＴＯＦ  ＭＳスペクトルを示した株のうち、ＢＥ１０４６  １３９５株及びＢＥ１１０３  ３０２８株は、野生型δ溶血素（δ＋）を産生し；ＢＥ１０５０  ５０４０株及びＢＥ１１０４  ４２９３株は、Ｇ１０Ｓ変異を有するδ溶血素（δ＋Ｇ１０Ｓ）を産生し；ＢＥ１１０６  ５３９７株及びＢＥ１０４８  ２３５４株は、δ溶血素が欠損している（δ−）。
【００８５】
ｖ．ＭＡＬＤＩ  ＴＯＦ／ＴＯＦ分析
「ＭＡＬＤＩ−ＴＯＦ／飛行時間」質量分析法［ＭＡＬＤＩ  ＴＯＦ−ＴＯＦ  ＭＳ］によって以下の９株を分析した。上述の同質遺伝子系統３株（すなわち、ＲＮ６３９０；ＬＵＧ  ９５０；及び、ＲＮ  ６９１１）、３００５±５Ｔｈのピークも３０３５±５Ｔｈのピークも示さない非溶血性臨床株２株、３００５±５Ｔｈのピークを示す溶血性臨床株２株、並びに、３０３５±５Ｔｈのピークを示すが、３００５±５Ｔｈのピークは示さない溶血性臨床株２株。
【００８６】
このように、ＲＮ６３９０株の３００５±５ＴｈのピークをＭＡＬＤＩ−ＴＯＦ−ＴＯＦモードで分析することにより、質量１４７．２５２、２０１．３５９、２７５．４７１、３３０．４５９、３７６．５１４、４４６．４８２、５２３．６３３、５５９．５７４、６５１．７、６７２．６０６、７５７．７１、７６５．８４１、８６４．８３２、９６５．９２２、１０８０．９５、１１９４．０７１、１３０７．１４９、１３５６．１３３、１４９３．２３、１６２１．３２１、１６７２．２１、１７２０．２９４、１７８５．０４４、１８３３．２７５、１９４８．４２８、２００５．５５１、２１１９．５７６、２２１９．５８３、２３０７．５４４、２４２０．５６、２５３３．７８６、２６００．００９、２６０２．６５７、２６４７．７４３、２７７４．３７３、２７７６．８５１及び２９７５．３０８Ｔｈのδ溶血素のフラグメントが検出できた。これらのフラグメントはそれぞれ、配列番号１のδ溶血素のイオンｙ１、ｙ２、ｙ３、ｙ４、ｙ５、ｙ６、ｙ７、ｙ８、ｙ９、ｙ１０、ｙ１１、ｙ１２、ｙ１３、ｙ１４、ｙ１５、ｙ１６、ｙ１７、ｙ１８、ｙ１９、ｙ２０、ｙ２１、ｙ２２、ｙ２３、ｙ２４、ｙ２６、ｂ２、ｂ３、ｂ４、ｂ５、ｂ６、ｂ７、ｂ１３、ｂ１５、ｂ１６及びｂ２３（公差±１．５Ｔｈ）に相当する。したがって、５つを超える種類の配列番号１のδ溶血素に属するフラグメントが検出された。
【００８７】
また、ＢＥ１０５０  ５０４０株の３０３５±５ＴｈのピークをＭＡＬＤＩ−ＴＯＦ−ＴＯＦモードで分析することにより、質量２７５．４０８、３３０．３６３、３７６．４１４、４４６．４６３、５２３．３９、５５９．４６２、６５１．５７２、７５７．５０５、７６５．６８２、８６０．６７３、８６４．６６１、９６５．７１４、１０８０．７７、１１７５．７８８、１１９３．８２９、１３０６．９２２、１４９３．０６４、１６２１．１６６、１７０１．３４、１７２０．２５１、１８１４．５８７、１８３３．３８１、１９４８．４８５、２０３５．５４５、２１４８．５５７、２２４９．９９、２３３６．５８５、２４４９．６８１、２５６２．８３３、２６７７．４５４及び２６７７．９３５Ｔｈのδ溶血素Ｇ１０Ｓのフラグメントが検出できた。これらのフラグメントはそれぞれ、配列番号２のδ溶血素Ｇ１０Ｓのイオンｙ２、ｙ３、ｙ４、ｙ５、ｙ６、ｙ７、ｙ８、ｙ９、ｙ１０、ｙ１１、ｙ１２、ｙ１３、ｙ１４、ｙ１５、ｙ１６、ｙ１７、ｙ１８、ｙ１９、ｙ２０、ｙ２１、ｙ２２、ｙ２３、ｂ３、ｂ４、ｂ５、ｂ７、ｂ８、ｂ１１、ｂ１５及びｂ１６（公差±１．５Ｔｈ）に相当する。したがって、５つを超える種類の配列番号２のδ溶血素に属するフラグメントが検出された。
【００８８】
これに対して、ＬＵＧ  ９５０株の３０５３±５ＴｈのピークのＭＡＬＤＩ−ＴＯＦ−ＴＯＦ分析では、配列番号１又は２に対応する質量フラグメントは検出できなかった。以下の質量ピークのみが検出された：７２．８２６、９６．４８５、１２８．７２７、２１４．２３５、２４２．２９８、２６３．２４９、２６７．２４７、２８５．２７６、３６２．３５９、４７６．４５８、１２０６．９８４及び１８４８．７８６Ｔｈ。
【００８９】
いずれの場合も、ＭＡＬＤＩ  ＴＯＦ−ＴＯＦ質量分析法による分析、及び、データベースＭａｓｃｏｔｔ（Ｒ）（Ｍａｔｒｉｘ  Ｓｃｉｅｎｃｅ社（英国ロンドン））による検索によって、上述の結果のすべて、特に、３０３５±５Ｔｈのピークとδ溶血素の変異体Ｇ１０Ｓとの対応関係を確認した。
【００９０】
これらの実施例により、ＭＡＬＤＩ−ＴＯＦモードは、より容易に適用できるが、ＭＡＬＤＩ−ＴＯＦ−ＴＯＦモードと同様に同定が行える（但し、ＭＡＬＤＩ−ＴＯＦ−ＴＯＦモードの方がより特異的である）ことが示された。
【００９１】
表３に、得られた結果をすべてまとめる。
【００９２】
【表３】
0006284883.tif 000004
【００９３】
最後に、同一クローンに属する株が含まれることによる偏りを防ぐために、上記δ溶血素欠損株１７株を遺伝子チップ（ＩＤＥＮＴＩＢＡＣ（Ｒ）、Ａｌｅｒｅ社（フランス））を用いて分析したところ、それらが４つのクローン複合体（ｃｌｏｎａｌ  ｃｏｍｐｌｅｘｅｓ）及び３つの異なる遺伝子プールに属することが示された。
【００９４】
ｖｉ．感染の慢性性との関連
上記分離株１６８株の採取と並行して、黄色ブドウ球菌の感染又は保菌の急性性／慢性性に関する臨床情報を集めた。慢性感染症は、検査時に分離された黄色ブドウ球菌株と同一の耐性記録を有する株が、６か月前まで分離されていることを確認するという臨床・生物学的基準に基づいて定義される。それ以外の場合はすべて、その感染又は保菌を急性として分類した。また、高頻度で慢性感染症との関連が認められる移植可能な器具：カテーテル、骨・関節プロテーゼ又は血管プロテーゼ（Ｈａｗｋｉｎｓ，Ｃ．，Ｊ．Ｈｕａｎｇ，ｅｔ  ａｌ．（２００７）．“Ｐｅｒｓｉｓｔｅｎｔ  Ｓｔａｐｈｙｌｏｃｏｃｃｕｓ  ａｕｒｅｕｓ  ４５  ｂａｃｔｅｒｅｍｉａ：ａｎ  ａｎａｌｙｓｉｓ  ｏｆ  ｒｉｓｋ  ｆａｃｔｏｒｓ  ａｎｄ  ｏｕｔｃｏｍｅｓ．”Ａｒｃｈ  Ｉｎｔｅｒｎ  Ｍｅｄ  １６７（１７）：１８６１−１８６７）の存在についても情報を集めた。
【００９５】
慢性感染症の場合に分離された３４株については、１１株がδ溶血素を産生しなかったのに対し、急性感染症の場合には、分離された１３４株のうち６株であった。よって、単変量解析において、δ溶血素欠損と慢性感染症との間に統計的に有意な関連（ｐ＝０．００１）が明らかとなった。また、多変量解析でも、このようなδ溶血素の欠如と感染の慢性性との関連（ＭＳＳＡではｐ＝０．０２３、ＭＲＳＡではｐ＝０．０８２）が認められる。それに対して、溶血素が検出されないことと移植可能装置の存在とには何ら関連性が認められなかった（ｐ＝０．４７０）。
【００９６】
ｖｉｉ．ＧＩＳＡとの関連
予め採取した上記１６８株について、表現型法を用いてＧＩＳＡを調べた。５株がＧＩＳＡと判明し、この５株中４株が３００５±５Ｔｈでも３０３５±５Ｔｈでもピークを示さなかった（δ−）。この検査で得られたＧＩＳＡ株の数が少なかったことから、「Ｃｅｎｔｒｅ  Ｎａｔｉｏｎａｌ  ｄｅ  Ｒｅｆｅｒｅｎｃｅ  ｄｅｓ  Ｓｔａｐｈｙｌｏｃｏｑｕｅｓ」によって完全に性質決定されたＧＩＳＡ株２８株のコレクションのδ溶血素の産生について分析した。臨床検査によれば、２８株中９株がδ−であったのに対し、非ＧＩＳＡ株では１３／１６３であった。これによっても、ａｇｒシステムの機能不全と耐性表現型ＧＩＳＡとの関連（ｐ＝０．００１）が確認された。
【図１】
0006284883.tif 000005
【図２】
0006284883.tif 000006
【図３】
0006284883.tif 000007
【図４】
0006284883.tif 000008
【配列表】
0006284883000001.app